(57)【要約】本開示は、無線通信システムにおける装置和無線通信方法。本開示による無線通信システムにおける電子機器は１つ又は複数の処理回路を含み、前記処理回路は、前記電子機器によって使用される第１のセミパーシステントスケジューリングＳＰＳ配置に対応するリソース、及び前記第１のＳＰＳ配置以外の他のＳＰＳ配置に対応するリソースをモニタリングし、及びモニタリング結果に応じて、前記電子機器のＳＰＳ配置の再選択結果を確定する、操作を実行するように配置されている。本開示による無線通信システムにおける装置及び無線通信方法を使用すると、ＳＰＳリソースを合理的に配置することができ、干渉が存在する可能性を低減するとともに、存在する可能性がある潜在的な干渉を見つけた場合に、迅速且つ効率的にＳＰＳ配置の再選択を実行することができる。【選択図】図１
2019537288.tif 000002
【特許請求の範囲】
【請求項１】
無線通信システムにおける電子機器であって、１つ又は複数の処理回路を含み、前記処理回路は、
前記電子機器によって使用される第１のセミパーシステントスケジューリングＳＰＳ配置に対応するリソース、及び前記第１のＳＰＳ配置以外の他のＳＰＳ配置に対応するリソースをモニタリングし、
モニタリング結果に応じて、前記電子機器のＳＰＳ配置の再選択結果を確定する、操作を実行するように配置されている電子機器。
【請求項２】
前記処理回路は、さらに、
前記第１のＳＰＳ配置に対応するリソース、及び前記他のＳＰＳ配置に対応するリソース上の受信信号強度をモニタリングする、操作を実行するように配置されている請求項１に記載の電子機器。
【請求項３】
前記処理回路は、さらに、
前記第１のＳＰＳ配置に対応するリソース上の受信信号強度が徐々に増加し、且つ前記他のＳＰＳ配置のうちの１つ又は複数のＳＰＳ配置に対応するリソース上の受信信号強度が徐々に低下する場合に、前記電子機器のＳＰＳ配置を、前記１つ又は複数のＳＰＳ配置のうちの１つに再選択する、操作を実行するように配置されている請求項２に記載の電子機器。
【請求項４】
前記処理回路は、さらに、
再選択されたＳＰＳ配置を、前記電子機器にサービスを提供するネットワーク側装置に送信する、操作を実行するように配置されている請求項３に記載の電子機器。
【請求項５】
記処理回路は、さらに、
前記再選択されたＳＰＳ配置に応じて、前記ネットワーク側装置にサービスを送信する、操作を実行するように配置されている請求項４に記載の電子機器。
【請求項６】
前記処理回路は、さらに、
前記第１のＳＰＳ配置に対応するリソース上の受信信号強度が徐々に増加し、且つ対応するリソース上の受信信号強度が徐々に低下する他のＳＰＳ配置が存在しない場合に、前記電子機器と、前記電子機器にサービスを提供するネットワーク側装置とのリンク品質に応じて、前記電子機器のＳＰＳ配置の再選択結果を確定する、操作を実行するように配置されている請求項３に記載の電子機器。
【請求項７】
前記処理回路は、さらに、
前記電子機器と前記ネットワーク側装置との間のリンク品質第１の閾値未満である場合、前記ネットワーク側装置にＳＰＳ配置再選択要求を送信し、
前記電子機器と前記ネットワーク側装置との間のリンク品質が第１の閾値以上である場合、前記電子機器のＳＰＳ配置再選択を実行しない、操作を実行するように配置されている請求項６に記載の電子機器。
【請求項８】
前記処理回路は、さらに、
電子機器にサービスを提供するネットワーク側装置から、前記第１のＳＰＳ配置を受信する、操作を実行するように配置されている請求項１に記載の電子機器。
【請求項９】
前記処理回路は、さらに、
前記電子機器の位置情報、速度情報、及び前記ネットワーク側装置に送信されたサービスの優先度情報を、前記ネットワーク側装置に送信する、操作を実行するように配置されている請求項８に記載の電子機器。
【請求項１０】
前記他のＳＰＳ配置と前記第１のＳＰＳ配置とは同じダウンリンク制御情報ＤＣＩフォーマットに属する請求項１に記載の電子機器。
【請求項１１】
無線通信システムにおけるネットワーク側装置であって、１つ又は複数の処理回路を含み、前記処理回路は、
前記ネットワーク側装置のサービス範囲内の第１のユーザ側装置から、前記第１のユーザ側装置の位置情報及び速度情報を受信し、
前記位置情報及び速度情報に応じて、前記第１のユーザ側装置に第１のＳＰＳ配置を配置する、操作を実行するように配置されているネットワーク側装置。
【請求項１２】
前記処理回路は、さらに、
前記位置情報及び速度情報に応じて、予定の時間帯内に前記第１のユーザ側装置の位置情報を予測し、
予定の時間帯内に前記第１のユーザ側装置の位置情報に応じて、前記第１のユーザ側装置に前記第１のＳＰＳ配置を配置する、操作を実行するように配置されている請求項１１に記載のネットワーク側装置。
【請求項１３】
前記処理回路は、さらに、
予定の時間帯内に前記第１のユーザ側装置以外の他のユーザ側装置の位置情報を予測し、
予定の時間帯内に前記第１のユーザ側装置の位置情報、予定の時間帯内に前記他のユーザ側装置の位置情報に応じて、前記第１のユーザ側装置に前記第１のＳＰＳ配置を配置する、操作を実行するように配置されている請求項１２に記載のネットワーク側装置。
【請求項１４】
前記処理回路は、さらに、
前記第１のユーザ側装置から、前記ネットワーク側装置に送信されたサービスの優先度情報を受信し、
前記優先度情報に応じて、前記第１のユーザ側装置に前記第１のＳＰＳ配置を配置する、操作を実行するように配置されている請求項１１に記載のネットワーク側装置。
【請求項１５】
前記処理回路は、さらに、
前記第１のＳＰＳ配置及び前記第１のＳＰＳ配置以外の他のＳＰＳ配置に対応するリソースを測定し、
予定の範囲内に前記第１のＳＰＳ配置に対応するリソースを使用するユーザ側装置の数が第２の閾値を超えると、前記第１のユーザ側装置のＳＰＳ配置再選択結果を確定する、操作を実行するように配置されている請求項１１に記載のネットワーク側装置。
【請求項１６】
前記処理回路は、さらに、
ユーザ側装置の数が前記第２の閾値未満である１つ又は複数の他のＳＰＳ配置が存在する場合に、前記第１のユーザ側装置を、前記第１のＳＰＳ配置から、前記１つ又は複数の他のＳＰＳ配置のうちの１つに再選択する、操作を実行するように配置されている請求項１５に記載のネットワーク側装置。
【請求項１７】
前記処理回路は、さらに、
前記第１のユーザ側装置を、前記第１のＳＰＳ配置から、前記１つ又は複数の他のＳＰＳ配置のうちの、前記第１のＳＰＳ配置と同一のダウンリンク制御情報ＤＣＩフォーマットに属するＳＰＳ配置に再選択する、操作を実行するように配置されている請求項１６に記載のネットワーク側装置。
【請求項１８】
前記処理回路は、さらに、
ユーザ側装置の数が前記第２の閾値未満である他のＳＰＳ配置が存在しない場合に、前記第１のユーザ側装置から前記ネットワーク側装置に送信されたサービスの優先度情報に応じて、前記第１のユーザ側装置のＳＰＳ配置再選択結果を確定する、操作を実行するように配置されている請求項１６に記載のネットワーク側装置。
【請求項１９】
前記処理回路は、さらに、
前記第１のユーザ側装置から前記ネットワーク側装置に送信されたサービスの優先度が第３の閾値未満である場合、前記第１のユーザ側装置のＳＰＳプログレスをリリースし、
前記第１のユーザ側装置から前記ネットワーク側装置に送信されたサービスの優先度が前記第３の閾値以上である場合、前記第１のユーザ側装置のＳＰＳ配置再選択を実行しない、操作を実行するように配置されている請求項１８に記載のネットワーク側装置。
【請求項２０】
前記処理回路は、さらに、
前記第１のユーザ側装置からＳＰＳ配置再選択要求を受信する、操作を実行するように配置されている請求項１５に記載のネットワーク側装置。
【請求項２１】
無線通信システムにおける電子機器による実行方法であって、
前記電子機器により使用される第１のセミパーシステントスケジューリングＳＰＳ配置に対応するリソース、及び前記第１のＳＰＳ配置以外の他のＳＰＳ配置に対応するリソースをモニタリングし、
モニタリング結果に応じて、前記電子機器のＳＰＳ配置の再選択結果を確定する、ことを含む方法。
【請求項２２】
無線通信システムにおけるネットワーク側装置による実行方法であって、
前記ネットワーク側装置のサービス範囲における第１のユーザ側装置から、前記第１のユーザ側装置の位置情報及び速度情報を受信し、
前記位置情報及び速度情報に応じて、前記第１のユーザ側装置に第１のＳＰＳ配置を配置する、ことを含む方法。
【発明の詳細な説明】
【技術分野】
【０００１】
本願は、２０１６年１２月２日に中国専利局に提出した、出願番号が２０１６１１１０１４０９．８であって、発明の名称が「無線通信システムにおける装置及び無線通信方法」である中国特許出願の優先権を主張し、本願で、その全ての内容を援用するものとする。
【０００２】
本開示は無線通信の技術分野に関し、具体的に、無線通信システムにおけるユーザ側装置、ネットワーク側装置及び無線通信システムにおいて無線通信を行うための方法に関する。
【背景技術】
【０００３】
この部分は、本開示に関する背景情報を提供し、必ずしも従来の技術ではない。
【０００４】
従来技術では、主に、動的スケジューリングとＳＰＳ（Ｓｅｍｉ−ｐｅｒｓｉｓｔｅｎｔ  Ｓｃｈｅｄｕｌｉｎｇ，セミパーシステントスケジューリング）の２つのスケジューリング形態がある。動的スケジューリングの形態において、各サブフレームについて新しいスケジューリング決定を行う必要があり、これは、リソースの使用は完全な柔軟性を有するようにするが、同時に、シグナリングオーバヘッドが増加してしまう。ＳＰＳの形態において、ネットワーク側装置がＰＤＣＣＨ（Ｐｈｙｓｉｃａｌ  Ｄｏｗｎｌｉｎｋ  Ｃｏｎｔｒｏｌ  Ｃｈａｎｎｅｌ，物理ダウンリンク制御チャネル）上でユーザ側装置にスケジューリング決定を提供し、それに伴ってまた１つの指示があり、ユーザ側装置が更なる通知を取得するまで、ｎのサブフレームごとにこのスケジューリング決定を運用することを示す。従って、制御シグナリングが１回だけ送信され、オーバーヘッドが低減される。ＳＰＳは、ＬＴＥ（Ｌｏｎｇ  Ｔｅｒｍ  Ｅｖｏｌｕｔｉｏｎ，ロング・ターム・エボリューション）システムにおいて周期的にリソースを使用することで、シグナリングを節約するためのスケジューリング形態である。一般の場合、ネットワーク側装置はユーザ側装置のＳＰＳ配置を決定し、確定したＳＰＳ配置をユーザ側装置に送信し、その後、ユーザ側装置は、同じ時間周波数リソースを周期的に繰り返し使用することができる。
【０００５】
車両のインターネットにおいて、ユーザ側装置は車両であってもよく、Ｖ２Ｘ（車間／路車間通信）サービスについて、例えば、車両とネットワーク側装置との間のサービス、データパケットの大きさが相対的に固定であり、そして、データパケット間の時間間隔も一定の規則性を満たす。従って、ＳＰＳスケジューリング形態は、Ｖ２Ｘサービスに応用されることでシグナリングオーバヘッドを低減することができる。しかしながら、車両の高速移動性のために、距離が近い２つの車両が同一のＳＰＳリソースを使用してサービスデータを送信すると、干渉が生じる可能性があるので、ＳＰＳリソースを合理的に配置することで干渉が存在する可能性を低減することが望ましい。
【０００６】
従って、以上の技術問題を解決するために、技術案を提案する必要がある。
【発明の概要】
【発明が解決しようとする課題】
【０００７】
この部分は、本開示の一般的概要を提供し、全部の範囲又は全部の特徴の完全な開示ではない。
【０００８】
本開示は、ＳＰＳリソースを合理的に配置することで、干渉が存在する可能性を低減するとともに、存在する可能性がある潜在的な干渉を見つけた場合に、ＳＰＳ構成の再選択を迅速且つ効率的に実行できる、無線通信システムにおけるユーザ側装置、ネットワーク側装置及び無線通信方法を提供することを目的とする。
【課題を解決するための手段】
【０００９】
本開示の一局面によれば、無線通信システムにおける電子機器を提供し、１つ又は複数の処理回路を含み、前記処理回路は、前記電子機器によって使用される第１のセミパーシステントスケジューリングＳＰＳ配置に対応するリソース、及び前記第１のＳＰＳ配置以外の他のＳＰＳ配置に対応するリソースをモニタリングし、及びモニタリング結果に応じて、前記電子機器のＳＰＳ配置の再選択結果を確定する、操作を実行するように配置されている。
【００１０】
本開示の他の一局面によれば、無線通信システムにおけるネットワーク側装置を提供し、１つ又は複数の処理回路を含み、前記処理回路は、前記ネットワーク側装置のサービス範囲内の第１のユーザ側装置から、前記第１のユーザ側装置の位置情報及び速度情報を受信し、及び前記位置情報及び速度情報に応じて、前記第１のユーザ側装置に第１のＳＰＳ配置を配置する、操作を実行するように配置されている。
【００１１】
本開示の他の一局面によれば、無線通信システムにおける電子機器によって実行される方法を提供して、前記電子機器により使用される第１のセミパーシステントスケジューリングＳＰＳ配置に対応するリソース、及び前記第１のＳＰＳ配置以外の他のＳＰＳ配置に対応するリソースをモニタリングし、及びモニタリング結果に応じて、前記電子機器のＳＰＳ配置の再選択結果を確定する、ことを含む。
【００１２】
本開示の他の一局面によれば、無線通信システムにおけるネットワーク側装置によって実行される方法を提供し、前記ネットワーク側装置のサービス範囲内の第１のユーザ側装置から、前記第１のユーザ側装置の位置情報及び速度情報を受信し、及び前記位置情報及び速度情報に応じて、前記第１のユーザ側装置に第１のＳＰＳ配置を配置する、ことを含む。
【００１３】
本開示による無線通信システムにおける電子機器及び無線通信システムにおいて無線通信を行うための方法を使用することにより、電子機器は、それによって使用されるＳＰＳ配置に対応するリソース、及び他のＳＰＳ配置に対応するリソースをモニタリングでき、モニタリング結果に応じてＳＰＳ配置の再選択結果を確定できるようにする。このようにすれば、電子機器は、リソースの使用状況に応じて自分でＳＰＳ配置を再選択することにより、ＳＰＳ配置の使用をより柔軟にし、ネットワーク側装置における干渉を低減する。本開示による無線通信システムにおけるネットワーク側装置及び無線通信システムにおいて無線通信を行うための方法を使用することにより、ネットワーク側装置は、ユーザ側装置の位置情報及び速度情報に応じて、ユーザ側装置にＳＰＳ配置を合理的に配置することで、ネットワーク側装置において干渉が生じる可能性を低減することができる。
【００１４】
さらなる用途の範囲は、本明細書に提供される記述より明らかになるだろう。本概要の記述及び特定の例は、例示のみを目的としており、本開示の範囲を限定するように意図されるものではない。
【図面の簡単な説明】
【００１５】
ここに記載される図面は、選択された実施例の例示を目的としておりすべての可能な実施ではなく、本開示の範囲を限定するように意図されるものではない：
【図１】本開示の実施例による、無線通信システムにおける電子機器の構成のブロック図である。
【図２】本開示の実施例による、電子機器がリソースをモニタリングの模式図である。
【図３】本開示の他の一実施例による、無線通信システムにおける電子機器の構成のブロック図である。
【図４】本開示の実施例による、電子機器によるＳＰＳ配置の再選択のシグナリングフローチャートである。
【図５】本開示の実施例による、無線通信システムにおけるネットワーク側装置の構成のブロック図である。
【図６】本開示の実施例による、ネットワーク側装置がユーザ側装置のＳＰＳ配置を配置するシナリオ模式図である。
【図７】本開示の他の一実施例による、ネットワーク側装置がユーザ側装置のＳＰＳ配置を設置するシナリオ模式図である。
【図８】本開示のさらなる一実施例による、ネットワーク側装置がユーザ側装置のＳＰＳ配置を設置するシナリオ模式図である。
【図９】本開示の他の一実施例による、無線通信システムにおけるネットワーク側装置の構成のブロック図である。
【図１０】本開示の実施例による、ネットワーク側装置がＳＰＳ配置を再選択するシグナリングフローチャートである。
【図１１】本開示の実施例による、無線通信方法のフローチャートである。
【図１２】本開示の他の一実施例による、無線通信方法のフローチャートである。
【図１３】本開示に適用するｅＮＢ（ｅｖｏｌｕｔｉｏｎ  Ｎｏｄｅ  Ｂａｓｅ  Ｓｔａｔｉｏｎ：進化型ノード基地局）の例示的配置の第１の例を示すブロック図である。
【図１４】本開示に適用するｅＮＢの例示的配置の第２の例を示すブロック図である。
【図１５】本開示に適用するスマートフォンの例示的配置の例を示すブロック図である。
【図１６】本開示に適用するカーナビゲーションデバイスの例示的配置の例を示すブロック図である。
【００１６】
本開示は容易に様々な修正及び置換形式に供するが、その特定の実施例は既に例として図面に示され、ここで詳細に記述する。しかしながら、ここで特定の実施例に対する記述は本開示を開示される具体的な形式に限定するものではなく、逆に、本開示の目的は本開示の精神と範囲に入る全ての修正、等価、置換をカバーすることであることが理解される。それに、幾つかの図面にわたって、相応する符号が相応する部品を指す。
【発明を実施するための形態】
【００１７】
ここで、図面を参照して本開示の例をより十分に記述する。以下の記述は実際に例示的なものであり、本開示、応用又は用途を限定するものではない。
【００１８】
本開示を詳しくするために、例示実施例を提供し、そして、当業者にその範囲を十分に伝える。多くの特定の細部、例えば、特定の部品、装置及び方法の例を述べて、本開示の実施例の詳しい理解を提供する。当業者にとって、特定の細部を使用する必要がなく、例示実施例は多い異なる形態にて実施され、それらはいずれも本開示の範囲を限定すると理解されるべきではない明らかであろう。幾つかの例示実施例において、よく知られるプロセス、よく知られる構成及びよく知られる技術を詳細に記述しない。
【００１９】
本開示に係る電子機器とユーザ側装置はＵＥ（Ｕｓｅｒ  Ｅｑｕｉｐｍｅｎｔ，ユーザ機器）であってもよい。本開示に係るＵＥは、移動端末、コンピューター、車載デバイスなどの無線通信機能を有する端末を含むがこれに限定されない。さらに、具体的に記述される機能に依存し、本開示に係るＵＥはＵＥそのもの、又はその中の部品、例えば、チップであってもよい。また、類似して、本開示に係るネットワーク側装置は、基地局、例えば、ｅＮＢ又は、ｅＮＢにおける部品例えばチップであってもよい。ひいては、本開示の技術案は、例えば、ＦＤＤ（Ｆｒｅｑｕｅｎｃｙ  Ｄｉｖｉｓｉｏｎ  Ｄｕｐｌｅｘｉｎｇ，周波数分割多重化）システムと、ＴＤＤ（Ｔｉｍｅ  Ｄｉｖｉｓｉｏｎ  Ｄｕｐｌｅｘｉｎｇ，時分割複信）システムに適用することができる。
【００２０】
本開示における干渉は、主に、ネットワーク側装置がアップリンクデータを受信する場合に受けた干渉に係る。例えば、１つのユーザ側装置Ａがリソースａを使用してネットワーク側装置にアップリンクサービスを送信している場合に、１つのユーザ側装置Ｂ（複数のユーザ側装置が存在する可能性がある）がその位置に接近し、よって、チャネル条件は同じ又は類似し、そして、ユーザ側装置Ｂをリソースａを使用して他のユーザ側装置又はネットワーク側装置にサービスを送信している。この場合、ネットワーク側装置はユーザ側装置Ａ及びユーザ側装置Ｂのデータを同時に受信したことがあり、一定の条件で、２つのユーザ側装置からのデータを正確に復調することができないので、干渉が生じてしまう。本開示は、ＳＰＳ配置に対して合理的な配置及び再選択を行うことで、できるだけにこのような干渉を低減することが望ましい。
【００２１】
＜第１の実施例＞
図１は、本開示の実施例による、無線通信システムにおける電子機器１００の構成のブロック図である。ここで、電子機器１００は無線通信システムにおけるユーザ側装置であってもよい。
【００２２】
図１に示すように、無線通信システムにおける電子機器１００は処理回路１１０を含むことができる。なお、電子機器１００は、１つの処理回路１１０を含んでもよいし、複数の処理回路１１０を含んでもよい。
【００２３】
さらに、処理回路１１０は、別々の機能ユニットを含んで各種の異なる機能及び／又は操作を実行することができる。なお、これらの機能ユニットは、物理エンティティ又は論理エンティティであってもよく、そして、異なる呼称のユニットは同一の物理エンティティにより実現され得る。
【００２４】
本開示の実施例によれば、処理回路１１０は、モニタリングユニット１１１と、ＳＰＳ配置確定ユニット１１２とを含むことができる。
【００２５】
本開示の実施例によれば、モニタリングユニット１１１は、電子機器によって使用される第１のＳＰＳ配置に対応するリソース、及び第１のＳＰＳ配置以外の他のＳＰＳ配置に対応するリソースをモニタリングしてもよい。
【００２６】
本開示の実施例によれば、第１のＳＰＳ配置は、電子機器１００によって現在使用されているＳＰＳ配置であり、他のＳＰＳ配置は第１のＳＰＳ配置と異なるＳＰＳ配置であってもよく、他のＳＰＳ配置は１つ又は複数のＳＰＳ配置を含んでもよい。あるＳＰＳ配置に対する配置情報には、当該ＳＰＳ配置に対応するリソースの全部、及び当該ＳＰＳ配置の周期を含んでもよい。ここで、モニタリングユニット１１１は、第１のＳＰＳ配置及び他のＳＰＳ配置に対応するリソースの全部をモニタリングすることができる。さらに、モニタリングユニット１１１は、モニタリングの結果をＳＰＳ配置確定ユニット１１２に送信することができる。
【００２７】
本開示の実施例によれば、ＳＰＳ配置確定ユニット１１２は、モニタリング結果に応じて、電子機器１００のＳＰＳ配置再選択結果を確定してもよい。
【００２８】
本開示の実施例によれば、ＳＰＳ配置確定ユニット１１２は、モニタリングユニット１１１から、第１のＳＰＳ配置及び他のＳＰＳ配置に対応するリソースをモニタリングした結果を取得してもよく、ＳＰＳ配置再選択結果を確定してもよい。ここで、ＳＰＳ配置再選択結果には、例えば、電子機器１００によって使用されている第１のＳＰＳ配置を再選択するか、第１のＳＰＳ配置からどのＳＰＳ配置に再選択するか、ネットワーク側装置にＳＰＳ配置切り替え要求などを送信する必要があるかなどのＳＰＳ配置再選択に関する決定情報を含んでもよい。
【００２９】
これにより、本開示による電子機器１００は、使用中のＳＰＳ配置に対応するリソース、及び他の配置に対応するリソースをモニタリングすることで、ＳＰＳ配置再選択結果を確定することができることが分かる。このようにすれば、電子機器１００は、リソースの使用状況に応じてＳＰＳ配置を再選択することができ、ＳＰＳ配置の使用をより柔軟にし、ネットワーク側装置における干渉を低減する。
【００３０】
本開示の実施例によれば、電子機器１００は、トランシーバとしての通信ユニット１２０などをさらに含んでもよい。電子機器１００は通信ユニット１２０を介して他の機器と通信することができ、情報の送信、情報の受信などを含む。
【００３１】
本開示の実施例によれば、無線通信システムは車両のネットワークであってもよく、そして、当該無線通信システムにおける電子機器１００は車載デバイスであってもよい。
【００３２】
本開示の実施例によれば、処理回路１１０におけるモニタリングユニット１１１は、さらに、第１のＳＰＳ配置に対応するリソース、及び他のＳＰＳ配置に対応するリソース上の受信信号強度をモニタリングする、操作を実行するように配置されてもよい。
【００３３】
ここで、例えば、ＲＳＳＩ（Ｒｅｃｅｉｖｅｄ  Ｓｉｇｎａｌ  Ｓｔｒｅｎｇｔｈ  Ｉｎｄｉｃａｔｏｒ，受信信号強度指示）などの多様なパラメーターで受信信号強度を示すことが可能となる。特定のリソース上の受信信号強度は、一定の程度で、当該リソースを使用しているユーザの数、ユーザの位置を反映する。例えば、特定のリソース上の受信信号強度が大きいことは、当該リソースを使用するユーザの数が多いか、当該リソースを使用するユーザが電子機器１００に近いことを示す。
【００３４】
本開示の実施例によれば、処理回路１１０におけるモニタリングユニット１１１は、第１のＳＰＳ配置に対応するリソース、及び他のＳＰＳ配置に対応するリソース上の受信信号強度を周期的に記録する、操作を実行するように配置されてもよい。
【００３５】
図２は、本開示の実施例による、電子機器１００がリソースをモニタリングする模式図である。図２に示すように、横軸が時間を示し、電子機器１００は時間Ｔを周期として第１のＳＰＳ配置、及び他のＳＰＳ配置に対応するリソース上の受信信号強度を記録する。なお、以上の図に、第１のＳＰＳ配置に対応するリソース上の受信信号強度を記録する模式図を示し、Ｐ１（ｔ１）はｔ１時刻で第１のＳＰＳ配置に対応するリソース上の受信信号強度を示し、Ｐ１（ｔ２）はｔ２時刻で第１のＳＰＳ配置に対応するリソース上の受信信号強度を示し、Ｐ１（ｔ３）はｔ３時刻で第１のＳＰＳ配置に対応するリソース上の受信信号強度を示し、図に、第２のＳＰＳ配置に対応するリソース上の受信信号強度を記録する模式図を図示し、Ｐ２（ｔ１）はｔ１時刻で第２のＳＰＳ配置に対応するリソース上の受信信号強度を示し、Ｐ２（ｔ２）はｔ２時刻で第２のＳＰＳ配置に対応するリソース上の受信信号強度を示し、Ｐ２（ｔ３）はｔ３時刻で第２のＳＰＳ配置に対応するリソース上の受信信号強度を示し、以下の図は第３のＳＰＳ配置に対応するリソース上の受信信号強度を記録する模式図を示し、Ｐ３（ｔ１）はｔ１時刻で第３のＳＰＳ配置に対応するリソース上の受信信号強度を示し、Ｐ３（ｔ２）がｔ２時刻で第３のＳＰＳ配置に対応するリソース上の受信信号強度を示し、Ｐ３（ｔ３）はｔ３時刻で第３のＳＰＳ配置に対応するリソース上の受信信号強度を示す。注意すべきことは、図２に、他のＳＰＳ配置が第２のＳＰＳ配置と第３のＳＰＳ配置とを含む場合を示した。他のＳＰＳ配置にもより多いＳＰＳ配置を含むことは言うまでもない。また、図２に、各々のＳＰＳ配置に対応するリソース上の受信信号強度を３回だけ記録する場合を示した。各々のＳＰＳ配置に対応するリソース上の受信信号強度をより多い回数で記録することは言うまでもない。３回に記録した場合に、例えば、最新の３回のレコードのみが記憶されてもよく、より新しいレコードがある場合に、最新の３回のレコードのみが記憶されることを確保するように、時間的に最も古いレコードを削除することができる。表１には、受信信号強度を記憶する例を示している。
【００３６】
【表１】
2019537288.tif 000003
【００３７】
本開示の実施例によれば、処理回路１１０におけるＳＰＳ配置確定ユニット１１２は、さらに、第１のＳＰＳ配置に対応するリソース上の受信信号強度が徐々に増加し、且つ他のＳＰＳ配置のうちの１つ又は複数のＳＰＳ配置に対応するリソース上の受信信号強度が徐々に低下する場合に、電子機器１００のＳＰＳ配置を１つ又は複数のＳＰＳ配置のうちの１つに再選択する、操作を実行するように配置されてもよい。
【００３８】
以上のように、第１のＳＰＳ配置に対応するリソース上の受信信号強度が徐々に増加し、例えば、Ｐ１（ｔ１）＜Ｐ１（ｔ２）＜Ｐ１（ｔ３）となる場合に、当該リソースを使用するユーザの数が多いことを示すか、当該リソースを使用するユーザが電子機器１００に近いことを示す。つまり、第１のＳＰＳ配置に対応するリソース上の受信信号強度が徐々に増加することは、電子機器１００と同一のリソースを使用し且つ距離が近い他のユーザ側装置が存在する可能性が大きく、即ち、ネットワーク側装置において干渉が生じる可能性も大きいことを示す。この場合ＳＰＳ配置確定ユニット１１２は、電子機器１００のＳＰＳ配置を再選択する必要があると確定することができる。
【００３９】
類似して、他のＳＰＳ配置のうちの１つ又は複数のＳＰＳ配置、例えば、図２中の第２のＳＰＳ配置に対応するリソース上の受信信号強度が徐々に低下し、例えば、Ｐ２（ｔ１）＞Ｐ２（ｔ２）＞Ｐ２（ｔ３）となる場合に、当該リソースを使用するユーザの数が少ないか、当該リソースを使用するユーザが電子機器１００から遠いことを示す。従って、ＳＰＳ配置確定ユニット１１２は、電子機器１００のＳＰＳ配置を、第１のＳＰＳ配置からの１つ又は複数のＳＰＳ配置のうちの１つに再選択すると確定することができる。
【００４０】
また、処理回路１１０におけるＳＰＳ配置確定ユニット１１２は、第１のＳＰＳ配置に対応するリソース上の受信信号強度に、相応する閾値を設定してもよく、受信信号強度がこの設定された閾値を超えた場合にのみ上記の操作を実行する。つまり、第１のＳＰＳ配置に対応するリソース上の受信信号強度が徐々に増加し（現時刻の、即ち最新記録される）受信信号強度が受信信号強度閾値を超え、且つ他のＳＰＳ配置のうちの１つ又は複数のＳＰＳ配置に対応するリソース上の受信信号強度が徐々に低下する場合に、電子機器１００のＳＰＳ配置を１つ又は複数のＳＰＳ配置のうちの１つに再選択する。
【００４１】
本開示の実施例によれば、ＳＰＳ配置確定ユニット１１２は、様々なルールに従って、上記１つ又は複数のＳＰＳ配置から１つのＳＰＳ配置を選択することができる。例えば、一実施例において、ＳＰＳ配置確定ユニット１１２は、１つ又は複数のＳＰＳ配置から１つのＳＰＳ配置をランダムに選択してから、電子機器１００のＳＰＳ配置を第１のＳＰＳ配置から当該ＳＰＳ配置に再選択する。他の一実施例において、１つ又は複数のＳＰＳ配置から、平均受信信号強度変化率が最も大きい１つのＳＰＳ配置を選択し、電子機器１００のＳＰＳ配置を、第１のＳＰＳ配置からこの平均受信信号強度変化率が最も大きいＳＰＳ配置に再選択する。
【００４２】
これにより、本開示の実施例によれば、電子機器１００によって使用されるＳＰＳ配置に高い干渉の可能性が存在する場合に、ＳＰＳ配置確定ユニット１１２は、電子機器１００のＳＰＳ配置を、干渉の可能性が小さいＳＰＳ配置に再選択することにより、ネットワーク側装置における潜在的な干渉を避けることが分かる。さらに、電子機器１００は、自分で、もうそろそろ使用するＳＰＳ配置を決定でき、ＳＰＳ配置の設置をより柔軟にする。
【００４３】
図３は、本開示の他の一実施例による、無線通信システムにおける電子機器１００の構成のブロック図である。
【００４４】
図３に示すように，電子機器１００の処理回路１１０は、モニタリングユニット１１１と、ＳＰＳ配置確定ユニット１１２と、処理ユニット１１３とを含むことができる。ここのモニタリングユニット１１１とＳＰＳ配置確定ユニット１１２は、既に前で紹介されたので、ここで重複しない。
【００４５】
本開示の実施例によれば、処理ユニット１１３は、例えば、通信ユニット１２０を介して、再選択されたＳＰＳ配置を、電子機器１００にサービスを提供するネットワーク側装置に送信することができる。ここで、電子機器１００はネットワーク側装置のカバー範囲内にあり、当該ネットワーク側装置は電子機器１００にサービスを提供する。ＳＰＳ配置確定ユニット１１２は、再選択されたＳＰＳ配置を確定したと、再選択されたＳＰＳ配置を処理ユニット１１３に送信して、処理ユニット１１３により通信ユニット１２０を介して再選択されたＳＰＳ配置をネットワーク側装置に送信してもよい。このようにして、ネットワーク側装置はそのサービス範囲内の全てのユーザ側装置のＳＰＳ配置を知ることができ、管理に便利である。
【００４６】
本開示の実施例によれば、処理ユニット１１３は、さらに、再選択されたＳＰＳ配置に応じて、例えば、通信ユニット１２０を介してネットワーク側装置にサービスを送信してもよい。ここのサービスは、データサービスであってもよい。
【００４７】
本開示の実施例によれば、再選択されたＳＰＳ配置は、サービスとは別に送信されてもよい。例えば、電子機器１００は通信ユニット１２０を介してネットワーク側装置に、再選択されたＳＰＳ配置を送信してから、通信ユニット１２０を介してネットワーク側装置にサービスを送信する。
【００４８】
本開示の実施例によれば、再選択されたＳＰＳ配置はサービスとともに送信されてもよい。例えば、電子機器１００は通信ユニット１２０を介して、再選択されたＳＰＳ配置によりネットワーク側装置にサービスを送信するとともに、ネットワーク側装置に再選択されたＳＰＳ配置通知してもよい。
【００４９】
これにより、本開示の実施例によれば、モニタリングユニット１１１のモニタリング結果に応じて、電子機器１００のＳＰＳ配置再選択結果を確定することができることが分かる。具体的に、電子機器１００のＳＰＳ配置再選択結果には、電子機器のＳＰＳ配置を再選択し、且つ電子機器のＳＰＳ配置を第１のＳＰＳ配置から他のＳＰＳ配置のうちの１つに再選択することを含んでもよい。しかしながら、他のＳＰＳ配置において対応するリソース上の受信信号強度が徐々に低下するＳＰＳ配置が存在しない可能性がある。つまり、他のＳＰＳ配置において再選択に適するＳＰＳ配置を見つけなく、以下、この場合における電子機器１００の操作について詳細に説明する。
【００５０】
本開示の実施例によれば、処理回路１１０におけるＳＰＳ配置確定ユニット１１２は、さらに、第１のＳＰＳ配置に対応するリソース上の受信信号強度が徐々に増加し、且つ対応するリソース上の受信信号強度が徐々に低下する他のＳＰＳ配置が存在しない場合に、電子機器１００と、電子機器１００にサービスを提供するネットワーク側装置との間のリンク品質に応じて、電子機器１００のＳＰＳ配置再選択結果を確定する、操作を実行するように配置されている。
【００５１】
本開示の実施例によれば、第１のＳＰＳ配置に対応するリソース上の受信信号強度が徐々に増加し、且つ対応するリソース上の受信信号強度が低下する他のＳＰＳ配置が存在しないことは、電子機器１００によって現在使用されている第１のＳＰＳ配置に高い干渉の可能性が存在し、干渉の可能性が低い他のＳＰＳ配置を探し出して再選択しない。この場合、電子機器１００（例えば測定ユニット、未図示）は、電子機器１００とネットワーク側装置との間のリンク品質を測定し、当該リンク品質に応じてＳＰＳ配置再選択結果を確定してもよい。
【００５２】
本開示の実施例によれば、リンク品質は、ＳＩＲ（Ｓｉｇｎａｌ  ｔｏ  Ｉｎｔｅｒｆｅｒｅｎｃｅ  Ｒａｔｉｏ，信号対混信比）、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ，信号対干渉及びノイズ比）、ＳＮＲ（Ｓｉｇｎａｌ  Ｎｏｉｓｅ  Ｒａｔｉｏ，信号対ノイズ比）の１つ又は複数で示されてもよく、本開示はこれを限定しない。
【００５３】
同様に、処理回路１１０におけるＳＰＳ配置確定ユニット１１２は受信信号強度閾値を設定してもよく、この閾値は、前記の受信信号強度閾値と同じであってもよい。第１のＳＰＳ配置に対応するリソース上の受信信号強度が徐々に増加し（現時刻の、即ち最新記録される）受信信号強度が受信信号強度閾値を超え、且つ対応するリソース上の受信信号強度が徐々に低下する他のＳＰＳ配置が存在しない場合にのみ、上記操作を実行する。
【００５４】
本開示の実施例によれば、処理回路１１０におけるＳＰＳ配置確定ユニット１１２は、さらに、電子機器１００とネットワーク側装置との間のリンク品質が第１の閾値未満である場合、例えば、通信ユニット１２０を介してネットワーク側装置にＳＰＳ配置再選択要求を送信する、操作を実行するように配置されてもよい。
【００５５】
本開示の実施例によれば、電子機器１００とネットワーク側装置との間のリンク品質パラメーターが小さいことは、電子機器１００とネットワーク側装置との間のリンク品質が悪く、他のユーザ側装置の干渉を受けた可能性があることを示し、電子機器１００は、再選択に適する他のＳＰＳ配置を見つけない。この場合、電子機器１００は、ネットワーク側装置にＳＰＳ配置再選択要求を送信して、ネットワーク側装置に対してそれが選択したＳＰＳ配置を再選択するように要求してもよい。
【００５６】
通常の場合、ユーザ側装置がモニタリングできるＳＰＳ配置の数が限られており、ネットワーク側装置が測定できるＳＰＳ配置は比較的包括的であるため、電子機器１００はＳＰＳ配置を再選択する必要がある場合に、ＳＰＳ配置再選択要求をネットワーク側装置に送信してもよく、これにより、ＳＰＳ配置を再選択する可能性を高め、ひいては、ネットワーク側装置における干渉を低減する。つまり、ＳＰＳ配置確定ユニット１１２が確定した電子機器１００のＳＰＳ配置再選択結果には、電子機器１００のＳＰＳ配置を再選択し、及びネットワーク側装置にＳＰＳ配置再選択要求を送信することを含む。
【００５７】
本開示の実施例によれば、処理回路１１０におけるＳＰＳ配置確定ユニット１１２は、さらに、電子機器１００とネットワーク側装置との間のリンク品質が第１の閾値以上である場合、電子機器１００のＳＰＳ配置再選択を実行しない、操作を実行するように配置されてもよい。
【００５８】
本開示の実施例によれば、当電子機器１００とネットワーク側装置とのリンク品質パラメーターが大きいことは、電子機器１００とネットワーク側装置との間のリンク品質が良く、他のユーザ側装置の干渉を受けない可能性があることを示す。この場合、ＳＰＳ配置の再選択を実行しないことができる。つまり、第１のＳＰＳ配置を使用し続ける。
【００５９】
これにより、電子機器１００は、リソースをモニタリングした結果とリンク品質リンク品質を組み合わせて再選択結果を決定する必要があることが分かる。つまり、ＳＰＳ配置確定ユニット１１２が確定した電子機器１００のＳＰＳ配置再選択結果には、ＳＰＳ配置の再選択を実行しないことを含む。
【００６０】
以上のように、本開示の実施例によれば、電子機器１００はあるＳＰＳ配置を使用してネットワーク側装置との通信を行っている場合に、当該ＳＰＳ配置及び他のＳＰＳ配置をモニタリングし、モニタリングの結果に応じてＳＰＳ配置の再選択結果を確定することができる。このようなプロセスは、電子機器１００とネットワーク側装置との通信の任意の階段に適用することができる。例えば、電子機器１００のＳＰＳ配置を初期の配置を行う階段、或いは電子機器１００がネットワーク側装置と通信を行っている中間段階である。電子機器１００はあるＳＰＳ配置を使用している限り、本開示による操作を実行することができる。さらに、電子機器１００が使用している第１のＳＰＳ配置は、ネットワーク側装置により配置されるＳＰＳ配置であってもよいし、電子機器１００（例えば、ＳＰＳ配置確定ユニット１１２）により自分で確定されるＳＰＳ配置であってもよい。
【００６１】
本開示の実施例によれば、処理回路１１０は、さらに、通信ユニット１２０を介して、電子機器１００にサービスを提供するネットワーク側装置から、第１のＳＰＳ配置を受信する操作を実行するように配置されている。第１のＳＰＳ配置がネットワーク側装置により配置される場合には、電子機器１００は、ネットワーク側装置から当該第１のＳＰＳ配置を受信し、当該第１のＳＰＳ配置によりネットワーク側装置にサービスを送信してもよい。
【００６２】
本開示の実施例によれば、ネットワーク側装置は、一定のルールに従って電子機器１００のＳＰＳ配置を設置することができる。例えば、電子機器１００の処理回路１１０は、さらに、通信ユニット１２０を介して、ネットワーク側装置に電子機器１００の位置情報、速度情報、及びネットワーク側装置に送信されたサービスの優先度情報を送信する操作を実行するように配置されている。
【００６３】
ここで、予めネットワーク側とユーザ側で異なるサービスと優先度の対応情報を定めておくことが可能となる。サービスの優先度は、例えば、複数のレベルに分けることができる。電子機器１００がネットワーク側装置にサービスを送信する前に、電子機器１００は、送信するサービスに応じて、当該サービスの優先度情報を確定することができる。また、電子機器１００は、周期的に上記情報を報告してもよいし、イベントでトリガーして上記情報を報告してもよい。本開示の実施例によれば、ネットワーク側装置は、電子機器１００によって送信される位置情報、速度情報及びネットワーク側装置に送信されたサービスの優先度情報に応じて、電子機器１００が使用する第１のＳＰＳ配置情報を確定し、電子機器１００に通知してもよい。
【００６４】
本開示の実施例によれば、処理回路１１０は、さらに、リソースプールから第１のＳＰＳ配置を選択する、操作を実行するように配置されてもよい。ここで、以上記述されたモニタリングユニット１１１とＳＰＳ配置確定ユニット１１２との機能に応じて第１のＳＰＳ配置を選択してもよい。つまり、第１のＳＰＳ配置は電子機器１００が自分で選択するものである場合に、第１のＳＰＳ配置は、若干のＳＰＳ配置に対応するリソースをモニタリングした後、モニタリング結果に応じて確定したＳＰＳ配置であってもよい。
【００６５】
言い換えれば、電子機器１００によって現在使用されているＳＰＳ配置は、ネットワーク側装置により配置されるか、電子機器１００が自分で確定したかに関わらず、電子機器１００は、現在使用されているＳＰＳ配置及び他のＳＰＳ配置をモニタリングし、モニタリングの結果に応じてＳＰＳ配置の再選択結果を確定することができる。
【００６６】
本開示の実施例によれば、当ネットワーク側装置が電子機器１００に初期のＳＰＳ配置を配置する場合に、一般、ＤＣＩ（Ｄｏｗｎｌｉｎｋ  Ｃｏｎｔｒｏｌ  Ｉｎｆｏｒｍａｔｉｏｎ，ダウンリンク制御情報）により電子機器１００に送信し、ＤＣＩフォーマットには、ｆｏｒｍａｔ  ０（フォーマット０）、ｆｏｒｍａｔ１（フォーマット１）、…、ｆｏｒｍａｔ  ６（フォーマット６）を含み、なお、ｆｏｒｍａｔ  ０が１つのセル内にリソースに関する配置状況を指示し、よって、一般に、ＤＣＩ  ｆｏｒｍａｔ  ０を採用して電子機器１００にＳＰＳ配置を送信する。例えば、ＤＣＩ  ｆｏｒｍａｔ  ０における３ビットを用いてＳＰＳ配置を指示する場合に、８種類の異なるＤＣＩフォーマットが生じることができる。ＳＰＳにより使用されるリソースは伝統のリソースプールと共有しているため、同一のセル内に、全てのＳＰＳ配置に対応するリソースブロックは完全にリソースプールに属する。本開示の実施例によれば、ユーザ側装置がより多くの選択を有することを可能にするために、各ＤＣＩフォーマットとＳＰＳ配置との間の一対多のマッピング関係が採用される。例えば、１つの特定のＤＣＩフォーマットにおいて複数（例えば、３つ）のＳＰＳ配置を含む。
【００６７】
本開示の実施例によれば、他のＳＰＳ配置は、全てのＤＣＩフォーマットにおける全部のＳＰＳ配置のうち第１のＳＰＳ配置以外のＳＰＳ配置を含んでもよい。
【００６８】
本開示の実施例によれば、他のＳＰＳ配置には、第１のＳＰＳ配置と同一のＤＣＩフォーマットに属する全ての他のＳＰＳ配置を含んでもよい。つまり、他のＳＰＳ配置は、第１のＳＰＳ配置と同一のＤＣＩフォーマットに属する。この場合、電子機器１００は他のＳＰＳ配置における１つしか再選択できなく、即ち、電子機器１００は、現在に使用しているＳＰＳ配置と同一のＤＣＩフォーマットに属するようなＳＰＳ配置のみを選択しなく、且つ現在に使用しているＳＰＳ配置と同一のＤＣＩフォーマットに属するようなＳＰＳ配置しか再選択できない。このように、大幅に電子機器１００のモニタリング範囲を削減することができる。
【００６９】
図４は、本開示の実施例による、電子機器１００がＳＰＳ配置を再選択するシグナリングフローチャートである。
【００７０】
図４に示すように、ＶＵＥは、以上上記した電子機器１００を示し、ｅＮｏｄｅＢは以上に上記したネットワーク側装置を示す。ステップＳ４１０において、ＶＵＥはｅＮｏｄｅＢにアップリンクスケジューリング要求を送信する。次に、ステップＳ４２０において、ｅＮｏｄｅＢはＶＵＥにアップリンクスケジューリング許可を送信する。次に、ステップＳ４３０において、ＶＵＥはｅＮｏｄｅＢに位置情報、速度情報及びサービス優先度情報を報告する。次に、ステップＳ４４０において、ｅＮｏｄｅＢはＶＵＥのＳＰＳ配置を確定しＶＵＥに通知し、ここのＳＰＳ配置は、例えば、以上上記した第１のＳＰＳ配置である。次に、ステップＳ４５０において、ＶＵＥは当該第１のＳＰＳ配置によりｅＮｏｄｅＢにサービスを送信する。ステップＳ４６０において、ＶＵＥは第１のＳＰＳ配置及び他のＳＰＳ配置をモニタリングし、ＳＰＳ配置の再選択をトリガーしないと、そのまま第１のＳＰＳ配置を使用してｅＮｏｄｅＢにサービスを送信する。同時に、ステップＳ４７０において、ｅＮｏｄｅＢは、全てのＳＰＳ配置を測定してもよい。ＶＵＥ側でＳＰＳ配置の再選択をトリガーする場合に、ステップＳ４８０において、ＶＵＥは再選択されたＳＰＳ配置を確定し、ステップＳ４９０においてＳＰＳプログレスをリリースするまで、再選択されたＳＰＳ配置によりｅＮｏｄｅＢにサービスを送信し続ける。
【００７１】
なお、図４に、ただ第１のＳＰＳ配置がネットワーク側装置としてのｅＮｏｄｅＢによって設置された場合を示し、そして、ただ電子機器１００としてのＶＵＥが再選択に適するＳＰＳ配置を見つけた場合を示した。しかしながら、図４は例示であり、ＶＵＥは再選択に適したＳＰＳ配置を見つけない可能性があり、第１のＳＰＳ配置も電子機器１００としてのＶＵＥによって確定されてもよい。例えば、電子機器は再選択されたＳＰＳ配置を「第１のＳＰＳ配置」として、当該再選択されたＳＰＳ配置以外の他のＳＰＳ配置をモニタリングし続ける。
【００７２】
以上のように本開示の実施例による、電子機器１００を述べたが、本開示による電子機器１００は、現在使用されているＳＰＳ配置に対応するリソース、及び他のＳＰＳ配置に対応するリソースをモニタリングすることにより、ＳＰＳ配置再選択結果を確定してもよく、例えば、現在使用されているＳＰＳ配置を他のＳＰＳ配置に再選択し、当該ＳＰＳ配置を使用し続けるか、ネットワーク側装置にＳＰＳ配置再選択要求を送信する。このようにすれば、電子機器１００は、リソースの使用状況に応じてＳＰＳ配置を再選択することができ、ＳＰＳ配置の使用をより柔軟にし、ネットワーク側装置における干渉を低減させる。
【００７３】
＜第２の実施例＞
以下、本開示の実施例による、ネットワーク側装置５００について詳細に述べる。図５は、本開示の実施例による、無線通信システムにおけるネットワーク側装置の構成のブロック図である。
【００７４】
図５に示すように、無線通信システムにおけるネットワーク側装置５００は処理回路５１０を含むことができる。なお、ネットワーク側装置５００は、１つの処理回路５１０を含んでもよいし、複数の処理回路５１０を含んでもよい。
【００７５】
さらに、処理回路５１０は、別々の機能ユニットを含んで各種の異なる機能及び／又は操作を実行することができる、なお、これらの機能ユニットは、物理エンティティ又は論理エンティティであってもよく、異なる呼称のユニットは同一の物理エンティティにより実現され得る。
【００７６】
また、ネットワーク側装置５００は、トランシーバとしての通信ユニット５２０などを含んでもよい。ネットワーク側装置５００は、通信ユニット５２０により他の装置との通信、例えば、情報の受信や、情報の送信などを実行してもよい。
【００７７】
本開示の実施例によれば、処理回路５１０は、処理ユニット５１１と、ＳＰＳ配置確定ユニット５１２とを含むことができる。
【００７８】
本開示の実施例によれば、処理ユニット５１１は、ネットワーク側装置５００のサービス範囲内の第１のユーザ側装置から第１のユーザ側装置の位置情報及び速度情報を受信することができる。例えば、処理ユニット５１１は通信ユニット５２０を介して第１のユーザ側装置から位置情報及び速度情報を受信し、当該位置情報及び速度情報を記憶してもよい。次に、処理ユニット５１１は、ユーザ側装置の位置情報及び速度情報をＳＰＳ配置確定ユニット５１２に送信してもよい。
【００７９】
本開示の実施例によれば、ＳＰＳ配置確定ユニット５１２は、位置情報及び速度情報に応じて、第１のユーザ側装置に第１のＳＰＳ配置を配置してもよい。ここで、ＳＰＳ配置確定ユニット５１２は、処理ユニット５１１から、第１のユーザ側装置の位置情報及び速度情報を受信し、通信ユニット５２０を介して、配置された第１のＳＰＳ配置を第１のユーザ側装置に送信してもよい。
【００８０】
ここで、第１のユーザ側装置は、ネットワーク側装置５００のサービス範囲内の任意のユーザ側装置であってもよく、例えば、図１、図３における電子機器１００であってもよい。つまり、ネットワーク側装置５００はそのサービス範囲内の任意のユーザ側装置から位置情報及び速度情報を受信し、当該ユーザ側装置にＳＰＳ配置を配置してもよい。
【００８１】
これにより、本開示によるネットワーク側装置５００は、ユーザ側装置の位置情報及び速度情報に応じてユーザ側装置にＳＰＳ配置を設置することにより、より合理的に各々のユーザ側装置のＳＰＳ配置を設置し、干渉の可能性を低減することができることが分かる。前記ネットワーク側装置５００は前記ユーザ側装置に複数又は各種のＳＰＳ配置を設置することができる。
【００８２】
本開示の実施例によれば、無線通信システムは車両のネットワークであってもよく、そして、当該無線通信システムにおけるユーザ側装置は車載デバイスであってもよく、ネットワーク側装置５００は、ユーザ側装置にサービスを提供する基地局などの装置であってもよい。
【００８３】
本開示の実施例によれば、処理回路５１０のＳＰＳ配置確定ユニット５１２は、さらに、位置情報及び速度情報に応じて、予定の時間帯内に第１のユーザ側装置の位置情報を予測し、及び予定の時間帯内に第１のユーザ側装置の位置情報に応じて、第１のユーザ側装置に第１のＳＰＳ配置を配置する、操作を実行するように配置されてもよい。前記第１のＳＰＳ配置には、第１のユーザ側装置が異なる位置で使用又は割り当てることができるリソースを含む。
【００８４】
上記した、ＳＰＳ配置確定ユニット５１２により第１のユーザ側装置の位置情報及び速度情報を取得したと、予定の時間帯内に当該第１のユーザ側装置の位置を予測する。本開示の実施例によれば、予定の時間帯は１つ又は複数の時点を含み、ＳＰＳ配置確定ユニット５１２は、１つ又は複数の時点における第１のユーザ側装置の１つ又は複数の位置を予測することができる。本開示の一実施例によれば、予定の時間帯はＳＰＳ配置の周期、例えば１０秒であってもよい。予定の時間帯が１０秒である場合に、例えば、予定の時間帯において５秒と１０秒との２つの時点を含み、ＳＰＳ配置確定ユニット５１２は、５秒の時点におけるユーザ側装置の第１の位置と、１０秒におけるユーザ側装置の第２の位置を予測することができる。
【００８５】
次に、ＳＰＳ配置確定ユニット５１２は、予測した予定の時間帯内に第１のユーザ側装置の位置情報に応じて第１のユーザ側装置に第１のＳＰＳ配置を配置することにより、第１のユーザ側装置と、それに隣接する他のユーザ側装置とによって使用されるＳＰＳ配置を異なわせることができる。ここで、隣接するユーザ側装置が第１のユーザ側装置との距離が一定の閾値未満であるユーザ側装置である場合定義してもよい。
【００８６】
本開示の実施例によれば、処理回路５１０におけるＳＰＳ配置確定ユニット５１２は、さらに、予定の時間帯内に第１のユーザ側装置以外の他のユーザ側装置の位置情報を予測し、及び予定の時間帯内に第１のユーザ側装置の位置情報、及び予定の時間帯内に他のユーザ側装置の位置情報に応じて、第１のユーザ側装置に第１のＳＰＳ配置を配置する、操作を実行するように配置されている。
【００８７】
ここで、他のユーザ側装置はネットワーク側装置５００のサービス範囲内のユーザ側装置と、ネットワーク側装置５００のサービス範囲外のユーザ側装置とを含んでもよい。ネットワーク側装置５００のサービス範囲内のユーザ側装置について、ネットワーク側装置５００は、第１のユーザ側装置と類似する方法で他のユーザ側装置の位置情報及び速度情報を取得することにより、予定の時間帯内に他のユーザ側装置の位置情報を予測することができ、ネットワーク側装置５００のサービス範囲外のユーザ側装置について、ネットワーク側装置５００は、当該ユーザ側装置にサービスを提供する他のネットワーク側装置（例えば、Ｘ２インタフェースを介して）から、当該ユーザ側装置の位置情報及び速度情報を取得し、ひいては、予定の時間帯内に当該ユーザ側装置の位置情報を予測することができる。つまり、異なるネットワーク側装置は、Ｘ２インタフェースを介して各々のサービス範囲内のユーザ側装置の位置情報及び速度情報を共有することができる。
【００８８】
本開示の実施例によれば、第１のユーザ側装置の位置情報及び速度情報に応じて他のユーザ側装置を確定することができる。例えば、他のユーザ側装置は第１のユーザ側装置の運動軌跡の周囲にあるユーザ側装置の全部、即ち、予定の時間帯内に第１のユーザ側装置の運動軌跡の周囲の一定の範囲内にあるユーザ側装置の全部を含んでもよい。このような他のユーザ側装置は、予定の時間帯内のある時点で、第１のユーザ側装置の隣接ユーザ側装置となる可能性があり、これにより、第１のユーザ側装置がネットワーク側装置５００に送信するサービスデータに干渉する可能性がある。
【００８９】
本開示の実施例によれば、処理回路５１０におけるＳＰＳ配置確定ユニット５１２は、さらに、第１のユーザ側装置に第１のＳＰＳ配置を配置することで、第１のＳＰＳ配置とネットワーク側装置５００のサービス範囲内の他のユーザ側装置とによって使用されるＳＰＳ配置を、異なるＤＣＩフォーマットに属させる、操作を実行するように配置されてもよい。
【００９０】
第１の実施例で言及されたように、ＤＣＩ  ｆｏｒｍａｔ  ０は、ユーザ側装置にＳＰＳ配置を送信するために用いられもよく、１つの特定のＤＣＩフォーマットにおいて複数の（例えば、三つ）ＳＰＳ配置を含んでもよい。ここで、同一のネットワーク側装置のサービス範囲に属する異なるユーザ側装置を、異なるＤＣＩフォーマットに配置することで、干渉の可能性をより低減することができる。
【００９１】
以下、図６−８に基づいてネットワーク側装置５００によるユーザ側装置ＳＰＳ配置の設置について詳細に詳細する。図６−８は、本開示の実施例による、ネットワーク側装置がユーザ側装置のＳＰＳ配置を設置するシナリオ模式図である。図６−８に示模式図において、ユーザ側装置は車載デバイスであり、ネットワーク側装置は車載デバイスにサービスを提供するｅＮｏｄｅＢである。
【００９２】
図６に示すように、車載デバイスＶＵＥ＿１、ＶＵＥ＿２はｅＮｏｄｅＢ１のサービス範囲内にあり、且つ車載デバイスＶＵＥ＿３、ＶＵＥ＿４はｅＮｏｄｅＢ２的サービス範囲内にある。ｅＮｏｄｅＢ１は車載デバイスＶＵＥ＿１、ＶＵＥ＿２にＳＰＳ配置を設置し、例えば、車載デバイスＶＵＥ＿１に１番目のＤＣＩフォーマットにおける１番目のＳＰＳ配置を配置し、車載デバイスＶＵＥ＿２に２番目のＤＣＩフォーマットにおける１番目のＳＰＳ配置を配置する。ｅＮｏｄｅＢ２は車載デバイスＶＵＥ＿３、ＶＵＥ＿４にＳＰＳ配置を設置し、例えば、車載デバイスＶＵＥ＿４に１番目のＤＣＩフォーマットにおける１番目のＳＰＳ配置を配置し、車載デバイスＶＵＥ＿３に２番目のＤＣＩフォーマットにおける１番目のＳＰＳ配置を配置する。上記した実施例によれば、ｅＮｏｄｅＢ１は、ＶＵＥ＿１、ＶＵＥ＿２が送信する位置情報及び速度情報を受信することで、  予定の時間帯内にＶＵＥ＿１、ＶＵＥ＿２の位置を予測することができ、例えば、予定の時間帯は現在時間ｔ０から時間ｔ２までであり、その中に時点ｔ１、ｔ２を含む。さらに、ｅＮｏｄｅＢ２は、ＶＵＥ＿３、ＶＵＥ＿４が送信する位置情報及び速度情報を受信でき、ｅＮｏｄｅＢ１は、ｅＮｏｄｅＢ２との間のＸ２インタフェースにより、ＶＵＥ＿３、ＶＵＥ＿４が送信する位置情報及び速度情報を受信でき、これにより、予定の時間帯内にＶＵＥ＿３、ＶＵＥ＿４の位置を予測することができる。図６に、時間ｔ１で、車載デバイスＶＵＥ＿１、ＶＵＥ＿２、ＶＵＥ＿３、ＶＵＥ＿４の予測位置を示し、そして、図７に、時間ｔ２で車載デバイスＶＵＥ＿１、ＶＵＥ＿２、ＶＵＥ＿３、ＶＵＥ＿４の予測位置を示している。
【００９３】
図７に示すように、予測した位置に応じて、時間ｔ２で、車載デバイスＶＵＥ＿４がＶＵＥ＿１に近接し、ＶＵＥ＿１の隣接ユーザ側装置となるが、ＶＵＥ＿４は依然としてｅＮｏｄｅＢ２のサービス範囲内にある。これにより、ＶＵＥ＿１とＶＵＥ＿４はともに１番目のＤＣＩフォーマットにおける１番目のＳＰＳ配置を使用し、且つこの２つの車載デバイス間の距離が近いので、ＶＵＥ＿４は１番目のＤＣＩフォーマットにおける１番目のＳＰＳ配置を利用してｅＮｏｄｅＢ２にサービスを送信する場合に、ｅＮｏｄｅ１に干渉する可能性がある。
【００９４】
本開示の実施例によれば、図６、図７におけるｅＮｏｄｅＢ１が図５に示すネットワーク側装置５００として、且つＶＵＥ＿１が第１のユーザ側装置とする場合に、ＶＵＥ＿２、ＶＵＥ＿３、ＶＵＥ＿４は他のユーザ側装置と称されることができる。本開示の実施例によれば、処理回路５１０におけるＳＰＳ配置確定ユニット５１２は、予定の時間帯内に第１のユーザ側装置の位置情報、及び予定の時間帯内に他のユーザ側装置の位置情報に応じて、第１のユーザ側装置に第１のＳＰＳ配置を配置することで、第１のＳＰＳ配置とネットワーク側装置５００のサービス範囲内の他のユーザ側装置とによって使用されるＳＰＳ配置を、異なるＤＣＩフォーマットに属させるとともに、第１のユーザ側装置と、それに隣接する他のユーザ側装置とによって使用されるＳＰＳ配置を異ならせる。ここで、他のユーザ側装置によって使用されるＳＰＳ配置とは、他のユーザ側装置が当該他のユーザ側装置にサービスを提供するネットワーク側装置にアップリンクサービスを送信するためのＳＰＳ配置を指す。図６、図７に示す例において、表２に示す形態を採用してＶＵＥ＿１にＳＰＳ配置を配置することができる。
【００９５】
【表２】
2019537288.tif 000004
【００９６】
表２に示すように、ｔ１−ｔ２時間帯において、ＶＵＥ＿１は１番目のＤＣＩフォーマットにおける２番目のＳＰＳ配置を使用し、ＶＵＥ＿４は１番目のＤＣＩフォーマットにおける１番目のＳＰＳ配置を使用するので、ＶＵＥ＿４はＶＵＥ＿１がアップリンクサービスを送信する際に干渉が生じない。
【００９７】
図８に示すシナリオにおいて、車載デバイスＶＵＥ＿１、ＶＵＥ＿２、ＶＵＥ＿３、ＶＵＥ＿４がｅＮｏｄｅＢのサービス範囲内にあり、ｅＮｏｄｅＢは車載デバイスＶＵＥ＿１、ＶＵＥ＿２、ＶＵＥ＿３、ＶＵＥ＿４にＳＰＳ配置を設置し、例えば、車載デバイスＶＵＥ＿１に１番目のＤＣＩフォーマットにおける１番目のＳＰＳ配置を配置し、車載デバイスＶＵＥ＿２に２番目のＤＣＩフォーマットにおける１番目のＳＰＳ配置を配置し、車載デバイスＶＵＥ＿３に３番目のＤＣＩフォーマットにおける１番目のＳＰＳ配置を配置し、車載デバイスＶＵＥ＿４に４番目のＤＣＩフォーマットにおける１番目のＳＰＳ配置を配置する。図８に、時間ｔ２で車載デバイスＶＵＥ＿１、ＶＵＥ＿２、ＶＵＥ＿３、ＶＵＥ＿４の予測位置を示している。
【００９８】
本開示の実施例によれば、図８におけるｅＮｏｄｅＢが図５に示すネットワーク側装置５００として、且つＶＵＥ＿１が第１のユーザ側装置とする場合に、ＶＵＥ＿２、ＶＵＥ＿３、ＶＵＥ＿４は他のユーザ側装置と称されることができる。本開示の実施例によれば、処理回路５１０におけるＳＰＳ配置確定ユニット５１２は、予定の時間帯内に第１のユーザ側装置の位置情報、及び予定の時間帯内に他のユーザ側装置の位置情報に応じて、第１のユーザ側装置に第１のＳＰＳ配置を配置することにより、第１のＳＰＳ配置とネットワーク側装置５００のサービス範囲内の他のユーザ側装置とによって使用されるＳＰＳ配置を、異なるＤＣＩフォーマットに属させるとともに、第１のユーザ側装置とそれに隣接する他のユーザ側装置とによって使用されるＳＰＳ配置を異ならせる。ここで、他のユーザ側装置によって使用されるＳＰＳ配置とは、他のユーザ側装置が別のユーザ側装置サービスを送信するために用いられるＳＰＳ配置を指す。例えば、ＶＵＥ＿３は３番目のＤＣＩフォーマットにおける１番目のＳＰＳ配置を使用してｅＮｏｄｅＢにアップリンクサービスを送信するが、ＶＵＥ＿３は、１番目のＤＣＩフォーマットにおける１番目のＳＰＳ配置を採用してＶＵＥ＿４にサービスを送信する可能性があり、これにより、ＶＵＥ＿１がｅＮｏｄｅＢに送信するアップリンクサービスに干渉が生じる。この場合、ｅＮｏｄｅＢは予めＶＵＥ＿３がＶＵＥ＿４にサービスを送信する際に使用されるＳＰＳ配置を知るので、ＶＵＥ＿１のＳＰＳ配置を合理的に配置し、例えば、表２に示す形態を採用してＶＵＥ＿１にＳＰＳ配置を配置することができる。
【００９９】
表２に示すように、ｔ１−ｔ２時間帯において、ＶＵＥ＿１は１番目のＤＣＩフォーマットにおける２番目のＳＰＳ配置を使用し、ＶＵＥ＿３は１番目のＤＣＩフォーマットにおける１番目のＳＰＳ配置を使用してＶＵＥ＿４にサービスを送信するので、ＶＵＥ＿３はＶＵＥ＿１がアップリンクサービスデータを送信する際に干渉が生じない。
【０１００】
これにより、本開示の実施例によれば、ネットワーク側装置５００は、ユーザ側装置の予測位置に応じて、合理的にユーザ側装置にＳＰＳ配置を配置することで、ネットワーク側装置における干渉を低減することができる。
【０１０１】
上記した例において、第１のユーザ側装置と他のユーザ側装置の位置は、予定の時間帯内に予測可能である。例えば、予定の時間帯内に交差点に遭遇しないと、すなわち、第１のユーザ側装置及び他のユーザ側装置の移動方向が変わらないと、ユーザ側装置の位置情報及び速度情報に応じて他の時刻の位置を容易に予測する。予定の時間帯内で、第１のユーザ側装置及び他のユーザ側装置の任意の位置を予測することができない場合に、ネットワーク側装置５００は、上記実施例によってＳＰＳ配置を合理的に配置することが困難である。
【０１０２】
本開示の実施例によれば、処理回路５１０における処理ユニット５１１は、さらに、第１のユーザ側装置から、ネットワーク側装置５００に送信されたサービスの優先度情報を受信する、操作を実行するように配置されてもよく、そして、ＳＰＳ配置確定ユニット５１２は、さらに、優先度情報に応じて第１のユーザ側装置に第１のＳＰＳ配置を配置するように配置されている。
【０１０３】
本開示の実施例によれば、ネットワーク側装置５００は第１のユーザ側装置と他のユーザ側装置のいずれの位置を予測できない場合に、サービスの優先度情報に応じて、第１のユーザ側装置に１つのＳＰＳ配置を配置することができる。例えば、サービスの優先度が高いと、一定の範囲内の使用ユーザ数が少ない１つのＳＰＳ配置などを配置する。しかしながら、他の配置ルールが存在してもよく、これは本開示に限定されない。
【０１０４】
本開示の実施例によれば、処理回路５１０におけるＳＰＳ配置確定ユニット５１２は、さらに、第１のユーザ側装置に通知を送信することで、第１のユーザ側装置に対してＳＰＳ配置の再選択を実行することを通知する操作を実行するように配置されている。つまり、ネットワーク側装置５００は、デフォルトルールに従って、第１のユーザ側装置にＳＰＳ配置を配置し、第１のユーザ側装置に対して続いて自分でＳＰＳ配置を再選択することを通知してもよい。本開示の実施例によれば、第１のユーザ側装置は、例えば、第１の実施例で上記した形態に従って、ＳＰＳ配置の再選択を実行してもよく、ここで重複しない。
【０１０５】
本開示の実施例によれば、処理回路５１０におけるＳＰＳ配置確定ユニット５１２は、さらに、第１のユーザ側装置から、再選択されたＳＰＳ配置を受信して記憶する、操作を実行するように配置されてもよい。次に、ネットワーク側装置５００は、第１のユーザ側装置から、再選択されたＳＰＳ配置により送信されるサービスを受信することが可能となる。
【０１０６】
以上で、ネットワーク側装置５００がユーザ側装置のＳＰＳ配置を配置する実施例について詳細に説明した。本開示の実施例によれば、ネットワーク側装置５００は、さらに、全てのＳＰＳ配置を測定でき、必要に応じて、あるユーザ側装置のＳＰＳ配置に対する再選択を実行することが可能となる。
【０１０７】
図９は、本開示の他の一実施例による、無線通信システムにおけるネットワーク側装置の構成のブロック図である。
【０１０８】
図９に示すように、処理回路５１０は、測定ユニット５１３と、処理ユニット５１１と、ＳＰＳ配置確定ユニット５１２とを含むことができる。なお、処理ユニット５１１とＳＰＳ配置確定ユニット５１２とは、既に前で紹介されたので、ここで重複しない。
【０１０９】
本開示の実施例によれば、測定ユニット５１３は、第１のＳＰＳ配置、及び第１のＳＰＳ配置以外の他のＳＰＳ配置に対応するリソースを測定することができる。ここで、他のＳＰＳ配置には、選択のための全てのＳＰＳ配置のうち第１のＳＰＳ配置以外のＳＰＳ配置を含んでもよく、即ち、第１のＳＰＳ配置と同一のＤＣＩフォーマットに属するＳＰＳ配置を含んでもよく、第１のＳＰＳ配置と同一のＤＣＩフォーマットに属しないＳＰＳ配置を含んでもよい。つまり、ネットワーク側装置５００の測定ユニット５１３は、選択可能なＳＰＳ配置の全部に対応するリソースを測定することができる。
【０１１０】
本開示の実施例によれば、ＳＰＳ配置に対応するリソースを測定することは、一定の範囲で当該ＳＰＳ配置に対応するリソースを使用するユーザの数を統計することを含む。ここで、ネットワーク側装置５００のサービス範囲内の異なるユーザ側装置によって使用されるＳＰＳ配置が異なるので、前記一定の範囲はネットワーク側装置５００のサービス範囲よりも大きくなってもよい。ネットワーク側装置５００は、Ｘ２インタフェースを介して他のネットワーク側装置から他のネットワーク側装置のサービス範囲内のユーザ側装置のＳＰＳ配置の使用状況を取得してもよい。つまり、各々のユーザ機器のＳＰＳ配置の使用状況は、異なるネットワーク側装置の間で共有される。
【０１１１】
本開示の実施例によれば、予定の範囲内に第１のＳＰＳ配置を使用するユーザ側装置の数が第２の閾値を超えると、ＳＰＳ配置確定ユニット５１２は、第１のユーザ側装置のＳＰＳ配置再選択結果を確定することができる。
【０１１２】
ここで、第１のＳＰＳ配置を使用するユーザ側装置の数が多いことは、潜在的干渉の可能性が存在することを示すので、ネットワーク側装置５００は、第１のユーザ側装置のＳＰＳ配置再選択結果を確定することができる。
【０１１３】
本開示の実施例によれば、処理回路５１０におけるＳＰＳ配置確定ユニット５１２は、ユーザ側装置の数が第２の閾値未満である１つ又は複数の他のＳＰＳ配置が存在する場合に、第１のユーザ側装置を、第１のＳＰＳ配置から１つ又は複数の他のＳＰＳ配置の１つに再選択する、操作を実行するように配置されてもよい。
【０１１４】
本開示の実施例によれば、ＳＰＳ配置確定ユニット５１２は、一定のルールに従って、１つ又は複数の他のＳＰＳ配置から１つのＳＰＳ配置を選択し、第１のユーザ側装置を、第１のＳＰＳ配置から当該ＳＰＳ配置に再選択する。例えば、１つ又は複数の他のＳＰＳ配置から１つのＳＰＳ配置をランダムに選択する。
【０１１５】
本開示の実施例によれば、ＳＰＳ配置確定ユニット５１２は、第１のユーザ側装置を第１のＳＰＳ配置から１つ又は複数の他のＳＰＳ配置のうち第１のＳＰＳ配置と同一のダウンリンク制御情報ＤＣＩフォーマットに属するＳＰＳ配置に再選択してもよい。
【０１１６】
つまり、ＳＰＳ配置確定ユニット５１２は、第１のＳＰＳ配置を、それと同一ＤＣＩフォーマットに属する他のＳＰＳ配置に再選択することが好ましく、当該ＤＣＩフォーマットにおいて再選択のための適切なＳＰＳ配置を見つけないと、他のネットワーク側装置５００のサービス範囲内の第１のユーザ側装置以外の他のユーザ側装置によって使用されないＤＣＩフォーマットでのＳＰＳ配置を探索してもよい。例えば、第１のユーザ側装置が１番目のＤＣＩフォーマットにおける１番目のＳＰＳ配置を使用すると、ＳＰＳ配置確定ユニット５１２は、まず、１番目のＤＣＩフォーマットにおける他のＳＰＳ配置からユーザの数が第２の閾値未満であるＳＰＳ配置を探索する。１番目のＤＣＩフォーマットにおいてユーザの数が第２の閾値未満であるＳＰＳ配置の他のＳＰＳ配置が存在しないと、ネットワーク側装置５００のカバー範囲内の、占有されないＤＣＩフォーマットから、ユーザの数が第２の閾値未満であるＳＰＳ配置を探索する。
【０１１７】
これにより、本開示の実施例によれば、ＳＰＳ配置確定ユニット５１２は、各々のＳＰＳ配置におけるユーザの数がバランスを取るように、ユーザ側装置のＳＰＳ配置に対して再選択を実行することができる。このようにして、ネットワーク側装置５００に存在可能な潜在的な干渉を回避することができる。
【０１１８】
本開示の実施例によれば、ＳＰＳ配置確定ユニット５１２は、第１のユーザ側装置からネットワーク側装置５００に送信されたサービスの優先度情報に応じて、第１のユーザ側装置のＳＰＳ配置の再選択結果を確定することができる。例えば、第１のユーザ側装置からネットワーク側装置５００に送信されるサービスの優先度が低く、例えば、一定の閾値よりも低い場合にのみ、第１のユーザ側装置を、第１のＳＰＳ配置から、１つ又は複数の他のＳＰＳ配置のうちの１つに再選択する。さらに、ＳＰＳ配置確定ユニット５１２は、さらに、第１のユーザ側装置からネットワーク側装置５００に送信されたサービスの優先度情報、及び一定の範囲内で第１のユーザ側装置と同一のＳＰＳ配置を使用する他のユーザ側装置に送信されたサービスの優先度情報に応じて、第１のユーザ側装置のＳＰＳ配置の再選択結果を確定してもよい。例えば、第１のユーザ側装置からネットワーク側装置５００に送信されたサービスの優先度が、前記一定の範囲内で第１のＳＰＳ配置を使用するユーザ側装置の全部が送信するサービスにおいて低い位置にある場合に、第１のユーザ側装置を第１のＳＰＳ配置から１つ又は複数の他のＳＰＳ配置のうちの１つに再選択する。このようにすれば、できるだけサービスの優先度が低いようなユーザ側装置を調整することを確保し、サービス優先度が高いようなユーザ側装置を調整することを回避する。
【０１１９】
本開示の実施例によれば、ＳＰＳ配置確定ユニット５１２は、さらに、第１のユーザ側装置がネットワーク側装置５００にＳＰＳ配置を要求する時間に応じて、第１のユーザ側装置のＳＰＳ配置の再選択結果を確定することができる。例えば、第１のユーザ側装置がネットワーク側装置５００にＳＰＳ配置を要求する時間が遅い場合にのみ、例えば、現時刻との時間差が一定の閾値未満である場合にのみ、第１のユーザ側装置を、第１のＳＰＳ配置が１つ又は複数の他のＳＰＳ配置のうちの１つに再選択する。さらに、ＳＰＳ配置確定ユニット５１２は、さらに、第１のユーザ側装置がネットワーク側装置５００にＳＰＳ配置を要求する時間、及び一定の範囲内に第１のユーザ側装置と同一のＳＰＳ配置を使用する他のユーザ側装置がＳＰＳ配置を要求する時間に応じて、第１のユーザ側装置のＳＰＳ配置の再選択結果を確定してもよい。例えば、第１のユーザ側装置がネットワーク側装置５００にＳＰＳ配置を要求する時間が第１のＳＰＳ配置を使用するユーザ側装置の全部がＳＰＳ配置を要求する時間のうち遅い位置にある場合に、第１のユーザ側装置を、第１のＳＰＳ配置から、１つ又は複数の他のＳＰＳ配置のうちの１つに再選択する。このようにすれば、できるだけＳＰＳ配置の要求が遅いようなユーザ側装置を調整することを確保し、ＳＰＳ配置の要求が早いようなユーザ側装置を調整することを回避する。
【０１２０】
もちろん、本開示の実施例によれば、ＳＰＳ配置確定ユニット５１２は、サービスの優先度、及びＳＰＳ配置を要求する時間を総合的に考慮して、第１のユーザ側装置のＳＰＳ配置の再選択結果を確定することもできる。このようにすれば、できるだけサービスの優先度が低い又はＳＰＳ配置の要求が遅いようなユーザ側装置を調整することを確保し、他のユーザ側装置によるＳＰＳ配置の使用を確保する。
【０１２１】
本開示の実施例によれば、処理回路５１０におけるＳＰＳ配置確定ユニット５１２は、さらに、ユーザ側装置の数が第２の閾値未満である他のＳＰＳ配置が存在しない場合に、第１のユーザ側装置からネットワーク側装置５００に送信されたサービスの優先度情報に応じて、第１のユーザ側装置のＳＰＳ配置再選択結果を確定する、操作を実行するように配置されてもよい。
【０１２２】
本開示の実施例によれば、ユーザ側装置の数が第２の閾値未満である他のＳＰＳ配置が存在しないことは、全てのＳＰＳ配置のユーザの数が第２の閾値以上であることを示し、潜在的干渉が存在する可能性があるが、再選択に適するＳＰＳ配置を見つけない。この場合、サービスの優先度に応じて第１のユーザ側装置のＳＰＳ配置再選択結果を確定してもよい。
【０１２３】
本開示の実施例によれば、処理回路５１０におけるＳＰＳ配置確定ユニット５１２は、さらに、第１のユーザ側装置からネットワーク側装置５００に送信されたサービスの優先度が第３の閾値未満である場合、第１のＳＰＳ配置における伝送周期を倍増する、操作を実行するように配置されてもよい。さらに、第１のユーザ側装置のＳＰＳプログレスを直接にリリースしてもよい。これにより、本開示の実施例によれば、第１のユーザ側装置からネットワーク側装置５００に送信されたサービスの優先度が低いと、第１のユーザ側装置によって使用されるＳＰＳ配置の伝送周期を倍増することにより、他のサービス優先度が高いユーザ側装置への干渉を低減する。さらに、第１のユーザ側装置のＳＰＳプログレスを直接にリリースしてもよく、これにより、サービス優先度が高いようなユーザ側装置によるＳＰＳリソースの使用を確保する。
【０１２４】
本開示の実施例によれば、処理回路５１０におけるＳＰＳ配置確定ユニット５１２は、さらに、第１のユーザ側装置からネットワーク側装置５００に送信されたサービスの優先度が第３の閾値以上である場合、第１のユーザ側装置のＳＰＳ配置再選択を実行せず、即ち、第１のユーザ側装置が第１のＳＰＳ配置を使用し続ける、操作を実行するように配置されてもよい。さらに、ＳＰＳ配置確定ユニット５１２は、通信ユニット５２０を介して、第１のＳＰＳ配置を使用するサービスの優先度が低いようなユーザ側装置に対応するネットワーク側装置を通知することにより、当該ネットワーク側装置はサービスの優先度が低いようなユーザ側装置によって使用されるＳＰＳ配置の周期を倍増するか、それらのユーザ側装置のＳＰＳプログレスをリリースするようにする。このようにすれば、他のユーザ側装置の第１のユーザ側装置への干渉を低減し、サービス優先度が高い第１のユーザ側装置による第１のＳＰＳ配置のリソースの使用を確保することができる。
【０１２５】
以上でネットワーク側装置５００によるユーザ側装置のＳＰＳ配置の再選択について詳細に説明したが、これにより、ネットワーク側装置５００に生じる干渉を低減し、ＳＰＳ配置の使用をより合理にすることができる。
【０１２６】
本開示の実施例によれば、処理回路５１０におけるＳＰＳ配置確定ユニット５１２は、さらに、第１のユーザ側装置からＳＰＳ配置再選択要求を受信する操作を実行するように配置されてもよい。ここで、ＳＰＳ配置確定ユニット５１２は、通信ユニット５２０を介して第１のユーザ側装置からＳＰＳ配置再選択要求を受信してもよい。つまり、ネットワーク側装置５００によるユーザ側装置のＳＰＳ配置の再選択プロセスは、ユーザ側装置のＳＰＳ配置再選択要求に基づいて実行される。ここで、ユーザー側装置は、例えば、第１の実施例における電子機器１００であってもよく、よって、当該ＳＰＳ配置再選択要求は、ユーザー側装置が受信信号強度が徐々に低下するＳＰＳ配置を見つけず、且つネットワーク側装置５００との間のリンク品質が悪い場合にネットワーク側装置５００に送信されてもよい。
【０１２７】
本開示の実施例によれば、ネットワーク側装置５００がユーザ側装置のＳＰＳ配置を再選択するプロセスは、周期的にトリガーされることができる。つまり、ネットワーク側装置５００は、周期的に全てのＳＰＳ配置を測定し、予定の範囲内で使用ユーザの数が第２の閾値を超えたあるＳＰＳ配置を見つけたと、ＳＰＳ配置の再選択プロセスを起動する。
【０１２８】
図１０は本開示の実施例による、ネットワーク側装置がＳＰＳ配置を再選択するシグナリングフローチャートである。
【０１２９】
図１０に示すように、ＶＵＥは、以上上記したユーザ側装置、例えば、電子機器１００を示し、ｅＮｏｄｅＢは、以上上記したネットワーク側装置５００を示す。まず、ステップＳ１００１において、ＶＵＥはｅＮｏｄｅＢにアップリンクスケジューリング要求を送信する。次に、ステップＳ１００２において、ｅＮｏｄｅＢはＶＵＥにアップリンクスケジューリング許可を送信する。次に、ステップＳ１００３において、ＶＵＥはｅＮｏｄｅＢに位置情報及び速度情報を報告する。代わりに、ＶＵＥは、ｅＮｏｄｅＢにサービス優先度情報を報告してもよい。次に、ステップＳ１００４において、ｅＮｏｄｅＢはＶＵＥのＳＰＳ配置を確定し、ＶＵＥに通知する、ここのＳＰＳ配置は、例えば、以上に記載の第１のＳＰＳ配置である。次に、ステップＳ１００５において、ＶＵＥは当該第１のＳＰＳ配置によりｅＮｏｄｅＢにサービスを送信する。ステップＳ１００６において、ＶＵＥは第１のＳＰＳ配置及び他のＳＰＳ配置をモニタリングする。同時に、ステップＳ１００７において、ｅＮｏｄｅＢは、全てのＳＰＳ配置を測定してもよい。ＳＰＳ配置の再選択をトリガーしなければ、ＶＵＥは、そのまま第１のＳＰＳ配置を用いてｅＮｏｄｅＢにサービスを送信する。ｅＮｏｄｅＢはＳＰＳ配置をトリガーする場合に、ステップＳ１００８において、ｅＮｏｄｅＢは、再選択されたＳＰＳ配置を確定し、再選択されたＳＰＳ配置をＶＵＥに送信する。次に、ステップＳ１００９において、ＶＵＥは、ステップＳ１０１０におけるＳＰＳプログレスをリリースするまで、再選択されたＳＰＳ配置により、ｅＮｏｄｅＢにサービスを送信し続ける。
【０１３０】
なお、図１０に、ただＳＰＳ配置の再選択プロセスがｅＮｏｄｅＢにより測定されてトリガーする場合を示し、且つ、ただｅＮｏｄｅＢとして、再選択に適するＳＰＳ配置を見つけた場合のみを示した。図１０は例示的であり、ｅＮｏｄｅＢは再選択に適するＳＰＳ配置を見つけない可能性があり、ＳＰＳ配置の再選択プロセスは、ユーザ側装置としてのＶＵＥがｅＮｏｄｅＢにＳＰＳ再選択要求を送信することでトリガーされてもよい。
【０１３１】
以上のように、第１の実施例では、電子機器１００によりＳＰＳ配置に対応するリソースをモニタリングすることで、ＳＰＳ配置の再選択をトリガーする形態について詳細に記述したが、第２の実施例では、ネットワーク側装置５００により全てのＳＰＳ配置を測定することでＳＰＳ配置の再選択をトリガーする形態について詳細に記述した。本開示の実施例によれば、この２つの形態は同時に実施されることができる。例えば、図４、図１０に示すシグナリングフローチャートにおいて、ユーザ側装置としてのＶＵＥがネットワーク側装置としてのｅＮｏｄｅＢにアップリンクサービスを送信する場合に、ＶＵＥは第１のＳＰＳ配置及び他のＳＰＳ配置をモニタリングするとともに、ｅＮｏｄｅＢは全てのＳＰＳ配置を測定し、ＶＵＥとｅＮｏｄｅＢとのいずれかがＳＰＳ配置の再選択の条件を満足する場合に、ＳＰＳ配置の再選択プロセスを実行することができる。さらに、ＳＰＳ配置の再選択プロセスを実行した後、ＶＵＥは、第１のＳＰＳ配置及び他のＳＰＳ配置をモニタリングし続けるとともに、ｅＮｏｄｅＢは全てのＳＰＳ配置を測定し続け、ＶＵＥとｅＮｏｄｅＢとのいずれかが再度ＳＰＳ配置の再選択の条件を満足する場合に、再度ＳＰＳ配置の再選択プロセスを実行する。
【０１３２】
以上のように、本開示の実施例による、ネットワーク側装置５００について詳細に述べたが、本開示によるネットワーク側装置５００は、ユーザ側装置の位置情報及び速度情報に応じて、ユーザ側装置にＳＰＳ配置を設置することで、より合理的に各々のユーザ側装置のＳＰＳ配置を設置し、干渉の可能性を低減することができる。さらに、ネットワーク側装置５００は、全てのＳＰＳ配置の的使用状況に応じて、ユーザ側装置のＳＰＳ配置を再選択することで、干渉の可能性をより低減することもできる。
【０１３３】
本実施例に記載のユーザ側装置は第１の実施例における電子機器１００であり得るので、本開示の実施例による、電子機器１００が実行する各々の手順の各種の具体的な実施形態はここに適用し、且つ、本開示の実施例による、ネットワーク側装置５００各種の具体的な実施形態の各種の具体的な実施形態も第１の実施例についても適用する。
【０１３４】
＜第３の実施例＞
次に、図１１を参照して本開示の実施例による、無線通信の方法を記述する。図１１は、本開示の実施例による、無線通信方法のフローチャートを図示している。図１１に示す方法は、無線通信システムにおける電子機器、例えば、図１、図３における電子機器１００により実行される。
【０１３５】
図１１に示すように、まず、ステップＳ１１１０において、電子機器によって使用される第１のセミパーシステントスケジューリングＳＰＳ配置に対応するリソース、及び除第１のＳＰＳ配置以外の他のＳＰＳ配置に対応するリソースをモニタリングする。
【０１３６】
次に、ステップＳ１１２０において、モニタリング結果に応じて、電子機器のＳＰＳ配置の再選択結果を確定する。
【０１３７】
好ましくは、第１のＳＰＳ配置に対応するリソース及び他のＳＰＳ配置に対応するリソースをモニタリングすることは、第１のＳＰＳ配置に対応するリソース、及び他のＳＰＳ配置に対応するリソース上の受信信号強度をモニタリングすることを含む。
【０１３８】
好ましくは、電子機器のＳＰＳ配置の再選択結果を確定することは、第１のＳＰＳ配置に対応するリソース上の受信信号強度が徐々に増加し、且つ他のＳＰＳ配置のうちの１つ又は複数のＳＰＳ配置に対応するリソース上の受信信号強度が徐々に低下する場合に、電子機器のＳＰＳ配置を１つ又は複数のＳＰＳ配置のうちの１つに再選択することを含む。
【０１３９】
好ましくは、電子機器のＳＰＳ配置を１つ又は複数のＳＰＳ配置のうちの１つに再選択することは、電子機器のＳＰＳ配置を、１つ又は複数のＳＰＳ配置のうち平均受信信号強度変化率が最も大きいＳＰＳ配置に再選択することを含む。
【０１４０】
好ましくは、方法は、再選択されたＳＰＳ配置を、電子機器にサービスを提供するネットワーク側装置に送信することをさらに含む。
【０１４１】
好ましくは、方法は、再選択されたＳＰＳ配置に応じて、ネットワーク側装置にサービスを送信することをさらに含む。
【０１４２】
好ましくは、電子機器のＳＰＳ配置の再選択結果を確定することは、第１のＳＰＳ配置に対応するリソース上の受信信号強度が徐々に増加し、且つ対応するリソース上の受信信号強度が徐々に低下する他のＳＰＳ配置が存在しない場合に、電子機器と、電子機器にサービスを提供するネットワーク側装置との間のリンク品質に応じて、電子機器のＳＰＳ配置の再選択結果を確定することを含む。
【０１４３】
好ましくは、電子機器と、電子機器にサービスを提供するネットワーク側装置との間のリンク品質に応じて電子機器のＳＰＳ配置の再選択結果を確定することは、電子機器とネットワーク側装置との間のリンク品質が第１の閾値未満である場合、ネットワーク側装置にＳＰＳ配置再選択要求を送信することを含む。
【０１４４】
好ましくは、電子機器と、電子機器にサービスを提供するネットワーク側装置との間のリンク品質に応じて、電子機器のＳＰＳ配置の再選択結果を確定することは、電子機器とネットワーク側装置との間のリンク品質が第１の閾値以上である場合、電子機器のＳＰＳ配置再選択を実行しない。
【０１４５】
好ましくは、方法は、電子機器にサービスを提供するネットワーク側装置から、第１のＳＰＳ配置を受信することをさらに含む。
【０１４６】
好ましくは、方法は、ネットワーク側装置に、電子機器の位置情報、速度情報及びネットワーク側装置に送信されたサービスの優先度情報を送信することをさらに含む。
【０１４７】
好ましくは、方法は、リソースプールから第１のＳＰＳ配置を選択することをさらに含む。
【０１４８】
好ましくは、他のＳＰＳ配置は第１のＳＰＳ配置と同一のダウンリンク制御情報（ＤＣＩ）フォーマットに属する。
【０１４９】
本開示の実施例による、無線通信システムにおいて無線通信を行うための方法の上記各ステップの各種の具体的な実施形態は以上で電子機器１００を記述する際に詳細に記述されたので、ここで重複しない。従って、電子機器１００を記述する各実施例は、ここに適用する。
【０１５０】
＜第４の実施例＞
次に、図１２を参照して本開示の他の一実施例による、無線通信方法を記述する。図１２は、本開示の他の一実施例による、無線通信方法のフローチャートを図示する。図１２に示す方法は、無線通信システムにおけるネットワーク側装置、例えば、図５と図９に前記的ネットワーク側装置５００により実行される。
【０１５１】
図１２に示すように、まず、ステップＳ１２１０において、ネットワーク側装置のサービス範囲内の第１のユーザ側装置から第１のユーザ側装置の位置情報及び速度情報を受信する。
【０１５２】
次に、ステップＳ１２２０において、位置情報及び速度情報に応じて、第１のユーザ側装置に第１のＳＰＳ配置を配置する。
【０１５３】
好ましくは、方法は位置情報及び速度情報に応じて、第１のユーザ側装置予定の時間帯内に位置情報を予測し、及び予定の時間帯内に第１のユーザ側装置の位置情報に応じて、第１のユーザ側装置に第１のＳＰＳ配置を配置する、ことをさらに含む。
【０１５４】
好ましくは、方法は、予定の時間帯内に第１のユーザ側装置以外の他のユーザ側装置の位置情報を予測し、及び予定の時間帯内に第１のユーザ側装置の位置情報、及び予定の時間帯内に他のユーザ側装置の位置情報に応じて第１のユーザ側装置に第１のＳＰＳ配置を配置することをさらに含む。
【０１５５】
好ましくは、方法は、第１のユーザ側装置から、ネットワーク側装置に送信されたサービスの優先度情報を受信し、優先度情報に応じて第１のユーザ側装置に第１のＳＰＳ配置を配置することをさらに含む。
【０１５６】
好ましくは、方法は、第１のＳＰＳ配置、及び第１のＳＰＳ配置以外の他のＳＰＳ配置に対応するリソースを測定し、予定の範囲内に第１のＳＰＳ配置を使用しているユーザ側装置の数が第２の閾値を超えると、第１のユーザ側装置のＳＰＳ配置再選択結果を確定する、ことをさらに含む。
【０１５７】
好ましくは、第１のユーザ側装置のＳＰＳ配置再選択結果を確定することは、ユーザ側装置の数が第２の閾値未満である１つ又は複数の他のＳＰＳ配置が存在する場合に、第１のユーザ側装置を、第１のＳＰＳ配置から、１つ又は複数の他のＳＰＳ配置のうちの１つに再選択することを含む。
【０１５８】
好ましくは、第１のユーザ側装置を、第１のＳＰＳ配置から１つ又は複数の他のＳＰＳ配置の１つに再選択することは、第１のユーザ側装置を、第１のＳＰＳ配置から、１つ又は複数の他のＳＰＳ配置のうち第１のＳＰＳ配置と同一のダウンリンク制御情報（ＤＣＩ）フォーマットに属するＳＰＳ配置に再選択することをさらに含む。
【０１５９】
好ましくは、第１のユーザ側装置のＳＰＳ配置再選択結果を確定することは、ユーザ側装置の数が第２の閾値未満である他のＳＰＳ配置が存在しない場合に、第１のユーザ側装置からネットワーク側装置に送信されたサービスの優先度情報に応じて、第１のユーザ側装置のＳＰＳ配置再選択結果を確定することをさらに含む。
【０１６０】
好ましくは、第１のユーザ側装置のＳＰＳ配置再選択結果を確定することは、第１のユーザ側装置からネットワーク側装置に送信されたサービスの優先度が第３の閾値未満である場合、第１のユーザ側装置のＳＰＳプログレスをリリースすることをさらに含む。
【０１６１】
好ましくは、第１のユーザ側装置のＳＰＳ配置再選択結果を確定することは、第１のユーザ側装置からネットワーク側装置に送信されたサービスの優先度が第３の閾値以上である場合、第１のユーザ側装置のＳＰＳ配置再選択を実行しないことを含む。
【０１６２】
好ましくは、方法は、第１のユーザ側装置からＳＰＳ配置再選択要求を受信することをさらに含む。
【０１６３】
本開示の実施例による、無線通信システムにおいて無線通信を行うための方法の上記各ステップの各種の具体的実施形態は、以上でネットワーク側装置５００を記述する際に既に詳細に記述されたので、ここで重複しない。よって、ネットワーク側装置５００を記述する各々の実施例はここに適用する。
【０１６４】
本開示の技術は各種の製品に応用できる。例えば、本開示で言及されたネットワーク側装置は基地局であってもよく、基地局は、任意のタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。代わりに、基地局は、任意の他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置される１つ又は複数のリモート無線ヘッド（ＲＲＨ）とを含んでもよい。また、以下記述する各種のタイプの端末は、基地局機能を一時又は半恒久的に実行することにより基地局として作動する。
【０１６５】
例えば、本開示で言及されたユーザ側装置はＵＥであってもよく、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えば自動車ナビゲーション装置）として実現されることが可能である。ＵＥは、マシンツーマシン（Ｍ２Ｍ）通信を実行する端末（マシン型通信（ＭＴＣ）端末とも称する）として実現されることも可能である。また、ＵＥは、上記端末における端末ごとに取り付けられた無線通信モジュール（例えば単一のチップを含む集成回路モジュール）であってもよい。
【０１６６】
図１３は、本開示の技術を応用できるｅＮＢの概略的な構成の第１の例を示すブロック図である。ｅＮＢ１３００は、１つ又は複数のアンテナ１３１３及び基地局デバイス１３２０を含む。基地局デバイス１３２０と各アンテナ１３１３はＲＦケーブルを介して互いに接続されてもよい。
【０１６７】
アンテナ１３１０の各々は、１つの又は複数のアンテナ素子（例えば、マルチ入力・マルチ出力（ＭＩＭＯ）アンテナに含まれる複数のアンテナ素子）を含み、基地局デバイス１３２０による無線信号の送受信のために用いられる。ｅＮＢ１３００は、図１３に示したように複数のアンテナ１３１０を含んでもよく、複数のアンテナ１３１０は、例えばｅＮＢ１３００が使用する複数の周波数帯域と共用してもよい。ここで、図１３にはｅＮＢ１３００が複数のアンテナ１３１０を含む例を示したが、ｅＮＢ１３００は１つのアンテナ１３１０を含んでもよい。
【０１６８】
基地局デバイス１３２０は、コントローラ１３２１、メモリ１３２２、ネットワークインタフェース１３２３、及び無線通信インタフェース１３２５を含む。
【０１６９】
コントローラ１３２１は、例えばＣＰＵ又はＤＳＰであってよく、基地局デバイス１３２０の上位レイヤの様々な機能を操作する。例えば、コントローラ１３２１は、無線通信インタフェース１３２５により処理された信号内のデータからデータパケットを生成し、生成したパケットをネットワークインタフェース１３２３を介して転送する。コントローラ１３２１は、複数のベースバンドプロセッサからのデータをバンドルすることによりバンドルドパケットを生成し、生成したバンドルドパケットを転送してもよい。また、コントローラ１３２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ１３２２は、ＲＡＭ及びＲＯＭを含み、コントローラ１３２１により実行されるプログラム、及び様々な制御データ（例えば、端末リスト、伝送電力データ及びスケジューリングデータなど）を記憶する。
【０１７０】
ネットワークインタフェース１３２３は基地局デバイス１３２０をコアネットワーク１３２４に接続するための通信インタフェースである。コントローラ１３２１はネットワークインタフェース１３２３を介してコアネットワークノード又は他のｅＮＢと通信してもよい。この場合、ｅＮＢ１３００とコアネットワークノード又は他のｅＮＢとはロジックインタフェース（例えばＳ１インタフェースとＸ２インタフェース）により互いに接続される。ネットワークインタフェース１３２３は有線通信インタフェース、又は無線バックホール回線に用いられる無線通信インタフェースであってもよい。ネットワークインタフェース１３２３が無線通信インタフェースである場合、ネットワークインタフェース１３２３は無線通信インタフェース１３２５により使用される周波数帯域よりも高い周波数帯域を無線通信に使用できる。
【０１７１】
無線通信インタフェース１３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ１３１０を介して、ｅＮＢ１３００のセル内に位置する端末までの無線接続を提供する。無線通信インタフェース１３２５は、一般的に、ベースバンド（ＢＢ）プロセッサ１３２６及びＲＦ回路１３２７を含むことができる。ＢＢプロセッサ１３２６は、例えば、符号化／復号化、変調／復調及び多重化／逆多重化を実行でき、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行できる。コントローラ１３２１に代えて、ＢＢプロセッサ１３２６は上記ロジック機能の一部又は全部を有してもよい。ＢＢプロセッサ１３２６は通信制御プログラムを記憶するメモリであってもよく、又はプログラムを実行するように配置されるプロセッサ及び関連する回路を含むモジュールであってもよい。ＢＢプロセッサ１３２６の機能はプログラムの更新により変更可能である。当該モジュールは基地局デバイス１３２０のスロットに挿入されるカード若しくはブレードであってもよい。代わりに、当該モジュールはカード若しくはブレードに搭載されるチップであってもよい。一方、ＲＦ回路１３２７は例えばミキサ、フィルタ及びアンプを含んでもよく、アンテナ１３１０を介して無線信号を送受信する。
【０１７２】
図１３に示すように、無線通信インタフェース１３２５は複数のＢＢプロセッサ１３２６を含んでもよい。例えば、複数のＢＢプロセッサ１３２６はｅＮＢ１３００が使用する複数の周波数帯域と共用されてもよい。図１３に示すように、無線通信インタフェース１３２５は複数のＲＦ回路１３２７を含んでもよい。例えば、複数のＲＦ回路１３２７は複数のアンテナ素子と共用されてもよい。図１３は無線通信インタフェース１３２５が複数のＢＢプロセッサ１３２６と複数のＲＦ回路１３２７とを含む例を示したが、無線通信インタフェース１３２５は１つのＢＢプロセッサ１３２６又は１つのＲＦ回路１３２７を含んでもよい。
【０１７３】
図１４は本開示の技術を応用できるｅＮＢの概略的な構成の第２の例を示すブロック図である。ｅＮＢ１４３０は１つ又複数のアンテナ１４４０と、基地局デバイス１４５０と、ＲＲＨ１４６０とを含む。ＲＲＨ１４６０は各アンテナ１４４０とＲＦケーブルを介して互いに接続されてもよい。基地局デバイス１４５０とＲＲＨ１４６０は例えば光ファイバケーブルの高速回線で互いに接続されてもよい。
【０１７４】
アンテナ１４４０の各々は、１つの又は複数のアンテナ素子（例えば、ＭＩＭＯアンテナに含まれる複数のアンテナ素子）を含み、ＲＲＨ１４６０による無線信号の送受信のために用いられる。図１４に示すように、ｅＮＢ１４３０は複数のアンテナ１４４０を含んでもよい。例えば、複数のアンテナ１４４０はｅＮＢ１４３０が使用する複数の周波数帯域と共用されてもよい。図１４はｅＮＢ１４３０が複数のアンテナ１４４０を含む例を示したが、ｅＮＢ１４３０は１つのアンテナ１４４０を含んでもよい。
【０１７５】
基地局デバイス１４５０は、コントローラ１４５１、メモリ１４５２、ネットワークインタフェース１４５３、無線通信インタフェース１４５５、及び接続インタフェース１４５７を含む。コントローラ１４５１、メモリ１４５２、及びネットワークインタフェース１４５３は図１３を参考して記述されたコントローラ１３２１、メモリ１３２２、及びネットワークインタフェース１３０２３と同じである。
【０１７６】
無線通信インタフェース１４５５は任意のセルラー通信方式（例えばＬＴＥ、ＬＴＥ−Ａｄｖａｎｃｅｄ）をサポートし、ＲＲＨ１４６０とアンテナ１４４０とを介してＲＲＨ１４６０に対応するセクタ内に位置する端末までの無線通信を提供する。無線通信インタフェース１４５５は、一般的に、例えばＢＢプロセッサ１４５６を含んでもよい。ＢＢプロセッサ１４５６が接続インタフェース１４５７を介してＲＲＨ１４６０のＲＦ回路１４６４と接続される他、ＢＢプロセッサ１４５６は図１３を参考して記述されたＢＢプロセッサ１３２６と同じである。図１４に示すように、無線通信インタフェース１４５５は複数のＢＢプロセッサ１４５６を含んでもよい。例えば、複数のＢＢプロセッサ１４５６はｅＮＢ１４３０が使用する複数の周波数帯域と共用されてもよい。図１４は無線通信インタフェース１４５５が複数のＢＢプロセッサ１４５６を含む例を示したが、無線通信インタフェース１４５５は１つのＢＢプロセッサ１４５６を含んでもよい。
【０１７７】
接続インタフェース１４５７は基地局デバイス１４５０（無線通信インタフェース１４５５）をＲＲＨ１４６０に接続するためのインタフェースである。接続インタフェース１４５７は基地局デバイス１４５０（無線通信インタフェース１４５５）をＲＲＨ１４６０と接続する上記高速回線での通信のための通信モジュールであってもよい。
【０１７８】
ＲＲＨ１４６０は接続インタフェース１４６１と無線通信インタフェース１４６３とを含む。
【０１７９】
接続インタフェース１４６１はＲＲＨ１４６０（無線通信インタフェース１４６３）を基地局デバイス１４５０に接続するためのインタフェースである。接続インタフェース１４６１は上記高速回線での通信のための通信モジュールであってもよい。
【０１８０】
無線通信インタフェース１４６３は、アンテナ１４４０を介して無線信号を送受信する。無線通信インタフェース１４６３は、一般的に、例えばＲＦ回路１４６４を含んでもよい。ＲＦ回路１４６４は、例えばミキサ、フィルタ及びアンプなどを含んでもよく、アンテナ１４４０を介して無線信号を送受信する。図１４に示すように、無線通信インタフェース１４６３は複数のＲＦ回路１４６４を含んでもよい。例えば、複数のＲＦ回路１４６４は複数のアンテナ素子をサポートしてもよい。図１４は無線通信インタフェース１４６３が複数のＲＦ回路１４６４を含む例を示したが、無線通信インタフェース１４６３は１つのＲＦ回路１４６４を含んでもよい。
【０１８１】
図１３と図１４に示すｅＮＢ１３００とｅＮＢ１４３０において、図５を使用して記述された処理回路５１０及びその中の処理ユニット５１１、ＳＰＳ配置確定ユニット５１２、及び図９を使用して記述された処理回路５１０及びその中の処理ユニット５１１、ＳＰＳ配置確定ユニット５１２、測定ユニット５１３はコントローラ１３２１及び／又はコントローラ１４５１により実現されてもよく、そして、図５と図９を使用して記述された通信ユニット５２０は、無線通信インタフェース１３２５及び無線通信インタフェース１４５５及び／又は無線通信インタフェース１４６３により実現されてもよい。例えば、コントローラ１３２１及び／又はコントローラ１４５１は、相応するメモリに記憶されているコマンドを実行することで、ユーザ側装置の位置情報及び速度情報を記憶する機能、ユーザ側装置にＳＰＳ配置を配置、再選択する機能を実行してもよい。
【０１８２】
図１５は本開示の技術を応用できるスマートフォン１５００の概略的な構成の一例を示すブロック図である。スマートフォン１５００は、プロセッサ１５０１、メモリ１５０２、記憶装置１５０３、外部接続インタフェース１５０４、撮像装置１５０６、センサ１５０７、マイクロフォン１５０８、入力装置１５０９、表示装置１５１０、スピーカ１５１１、無線通信インタフェース１５１２、１つ又は複数のアンテナスイッチ１５１５、１つ又は複数のアンテナ１５１６、バス１５１７、バッテリー１５１８、及び補助コントローラ１５１９を含む。
【０１８３】
プロセッサ１５０１は例えばＣＰＵ又はＳｏＣ（Ｓｙｓｔｅｍ  ｏｎ  Ｃｈｉｐ）であってもよく、スマートフォン１５００のアプリケーションレイヤ及びその他のレイヤの機能を制御する。メモリ１５０２はＲＡＭとＲＯＭを含み、データと、プロセッサ１５０１により実行されるプログラムを記憶する。記憶装置１５０３は記憶媒体、例えば半導体メモリ又はハードディスクを含んでもよい。外部接続インタフェース１５０４は、外部装置（例えばメモリーカード又はＵＳＢ（Ｕｎｉｖｅｒｓａｌ  Ｓｅｒｉａｌ  Ｂｕｓ）デバイス）をスマートフォン１５００に接続するためのインタフェースである。
【０１８４】
撮像装置１５０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、キャプチャ画像を生成する。センサ１５０７は例えば、測定センサ、ジャイロセンサ、地磁気センサ及び加速度センサなどのセンサ群を含んでもよい。マイクロフォン１５０８はスマートフォン１５００に入力される音声を音声信号に変換する。入力装置１５０９は例えば表示装置１５１０のスクリーン上のタッチを検出するように配置されるタッチセンサ、キーパッド、キーボード、ボタン又はスイッチを含み、ユーザから入力される操作又は情報を受信する。表示装置１５１０はスクリーン（例えば液晶ディスプレイ（ＬＣＤ）、有機発光ダイオード（ＯＬＥＤ）ディスプレイ）を含み、スマートフォン１５００の出力画像を表示する。スピーカ１５１１はスマートフォン１５００から出力される音声信号を音声に変換する。
【０１８５】
無線通信インタフェース１５１２は任意のセルラー通信方式（例えばＬＴＥ、ＬＴＥ−Ａｄｖａｎｃｅｄ）をサポートし、無線通信を実行する。無線通信インタフェース１５１２は、一般的に、例えばＢＢプロセッサ１５１３とＲＦ回路１５１４とを含んでもよい。ＢＢプロセッサ１５１３は例えば符号化／復号化、変調／復調及び多重化／逆多重化を実行してもよく、無線通信のための様々なタイプの信号処理を実行する。一方、ＲＦ回路１５１４は例えばミキサ、フィルタ及びアンプを含んでもよく、アンテナ１５１６を介して無線信号を送受信する。無線通信インタフェース１５１２はＢＢプロセッサ１５１３とＲＦ回路１５１４を集積したワンチップのモジュールであってもよい。図１５に示すように、無線通信インタフェース１５１２は複数のＢＢプロセッサ１５１３と複数のＲＦ回路１５１４を含んでもよい。図１５は無線通信インタフェース１５１２が複数のＢＢプロセッサ１５１３と複数のＲＦ回路１５１４を含む例を示したが、無線通信インタフェース１５１２は１つのＢＢプロセッサ１５１３又は１つのＲＦ回路１５１４を含んでもよい。
【０１８６】
また、セルラー通信方式を除き、無線通信インタフェース１５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース１５１２は無線通信方式ごとのＢＢプロセッサ１５１３とＲＦ回路１５１４を含んでもよい。
【０１８７】
アンテナスイッチ１５１５の各々は、無線通信インタフェース１５１２に含まれる複数の回路（例えば、異なる無線通信方式のための回路）の間でアンテナ１５１６の接続先を切り替える。
【０１８８】
アンテナ１５１６の各々は１つの又は複数のアンテナ素子（例えば、ＭＩＭＯアンテナに含まれる複数のアンテナ素子）を含み、無線通信インタフェース１５１２による無線信号の送受信のために用いられる。図１５に示すように、スマートフォン１５００は複数のアンテナ１５１６を含んでもよい。図１５はスマートフォン１５００が複数のアンテナ１５１６を含む例を示したが、スマートフォン１５００は１つのアンテナ１５１６を含んでもよい。
【０１８９】
また、スマートフォン１５００は無線通信方式ごとのアンテナ１５１６を含んでもよい。この場合、アンテナスイッチ１５１５はスマートフォン１５００の構成から省略されてもよい。
【０１９０】
バス１５１７は、プロセッサ１５０１、メモリ１５０２、記憶装置１５０３、外部接続インタフェース１５０４、撮像装置１５０６、センサ１５０７、マイクロフォン１５０８、入力装置１５０９、表示装置１５１０、スピーカ１５１１、無線通信インタフェース１５１２及び補助コントローラ１５１９を互いに接続する。バッテリー１５１８は図において部分的に破線で示した支線を介して図１５に示すスマートフォン１５００の各ブロックに電力を供給する。補助コントローラ１５１９は例えば、スリープモードにおいて、スマートフォン１５００の必要最低限の機能を動作させる。
【０１９１】
図１５に示すスマートフォン１５００において、図１を使用して記述された処理回路１１０及びその中のモニタリングユニット１１１、ＳＰＳ配置確定ユニット１１２、図３を使用して記述された処理回路１１０及びその中のモニタリングユニット１１１、ＳＰＳ配置確定ユニット１１２、処理ユニット１１３は、プロセッサ１５０１又は補助コントローラ１５１９により実現されてもよく、そして、図１、図３を使用して記述された通信ユニット１２０は、無線通信インタフェース１５１２により実現されてもよい。機能の少なくとも一部は、プロセッサ１５０１又は補助コントローラ１５１９により実現されてもよい。例えば、プロセッサ１５０１又は補助コントローラ１５１９は、メモリ１５０２又は記憶装置１５０３に記憶されているコマンドを実行することで、ＳＰＳ配置に対応するリソースをモニタリングする機能、及びＳＰＳ配置の再選択結果を確定する機能を実行する。
【０１９２】
図１６は本開示の技術を応用できるカーナビゲーションデバイス１６２０の概略的な構成の一例を示すブロック図である。カーナビゲーションデバイス１６２０は、プロセッサ１６２１、メモリ１６２２、ＧＰＳ（Ｇｌｏｂａｌ  Ｐｏｓｉｔｉｏｎｉｎｇ  Ｓｙｓｔｅｍ）モジュール１６２４、センサ１６２５、データインタフェース１６２６、コンテンツプレーヤ１６２７、記憶媒体インタフェース１６２８、入力装置１６２９、表示装置１６３０、スピーカ１６３１、無線通信インタフェース１６３３、１つ又は複数のアンテナスイッチ１６３６、１つ又は複数のアンテナ１６３７及びバッテリー１６３８を含む。
【０１９３】
プロセッサ１６２１は例えばＣＰＵ又はＳｏＣであってもよく、カーナビゲーションデバイス１６２０のナビゲーション機能及びその他の機能を制御する。メモリ１６２２はＲＡＭとＲＯＭを含み、データと、プロセッサ１６２１により実行されるプログラムを記憶する。
【０１９４】
ＧＰＳモジュール１６２４はＧＰＳ衛星から受信されるＧＰＳ信号を用いて、カーナビゲーションデバイス１６２０の位置（例えば、緯度、経度及び高度）を測定する。センサ１６２５は、例えば、ジャイロセンサ、地磁気センサ及び気圧センサのセンサ群を含んでもよい。データインタフェース１６２６は、図示しない端末を介して例えば、車載ネットワーク１６４１に接続され、車両で生成されるデータ（例えば車速データ）を取得する。
【０１９５】
コンテンツプレーヤ１６２７は記憶媒体インタフェース１６２８に挿入される記憶媒体（例えば、ＣＤ又はＤＶＤ）に記憶されているコンテンツを再生する。入力装置１６２９は例えば表示装置１６３０のスクリーン上のタッチを検出するように配置されるタッチセンサ、ボタン又はスイッチを含み、ユーザから入力される操作又は情報を受信する。表示装置１６３０は例えばＬＣＤ又はＯＬＥＤディスプレイのスクリーンを含み、ナビゲーション機能の画像又は再生されるコンテンツを表示する。スピーカ１６３１は、ナビゲーション機能の音声又は再生されるコンテンツを出力する。
【０１９６】
無線通信インタフェース１６３３は任意のセルラー通信方式（例えばＬＴＥ、ＬＴＥ−Ａｄｖａｎｃｅｄ）をサポートし、無線通信を実行する。無線通信インタフェース１６３３は、一般的に、例えばＢＢプロセッサ１６３４とＲＦ回路１６３５とを含んでもよい。ＢＢプロセッサ１６３４は例えば符号化／復号化、変調／復調及び多重化／逆多重化を実行してもよく、無線通信のための様々なタイプの信号処理を実行する。一方、ＲＦ回路１６３５は例えばミキサ、フィルタ及びアンプを含んでもよく、アンテナ１６３７を介して無線信号を送受信する。無線通信インタフェース１６３３はＢＢプロセッサ１６３４とＲＦ回路１６３５を集積したワンチップのモジュールであってもよい。図１６に示すように、無線通信インタフェース１６３３は複数のＢＢプロセッサ１６３４と複数のＲＦ回路１６３５を含んでもよい。図１６は無線通信インタフェース１６３３が複数のＢＢプロセッサ１６３４と複数のＲＦ回路１６３５を含む例を示したが、無線通信インタフェース１６３３は１つのＢＢプロセッサ１６３４又は１つのＲＦ回路１６３５を含んでもよい。
【０１９７】
また、セルラー通信方式の他に、無線通信インタフェース１６３３は他の種類の無線通信方式、例えば、近距離無線通信方式、近接無線通信方式又は無線ＬＡＮ方式をサポートしてもよい。この場合、無線通信方式ごとに、無線通信インタフェース１６３３はＢＢプロセッサ１６３４とＲＦ回路１６３５を含んでもよい。
【０１９８】
アンテナスイッチ１６３６の各々は、無線通信インタフェース１６３３に含まれる複数の回路（例えば、異なる無線通信方式のための回路）の間でアンテナ１６３７の接続先を切り替える。
【０１９９】
アンテナ１６３７中の各々は、１つの又は複数のアンテナ素子（例えば、ＭＩＭＯアンテナに含まれる複数のアンテナ素子）を含み、無線通信インタフェース１６３３による無線信号の送受信のために用いられる。図１６に示すように、カーナビゲーションデバイス１６２０は複数のアンテナ１６３７を含んでもよい。図１６はカーナビゲーションデバイス１６２０が複数のアンテナ１６３７を含む例を示したが、カーナビゲーションデバイス１６２０は１つのアンテナ１６３７を含んでもよい。
【０２００】
また、カーナビゲーションデバイス１６２０は無線通信方式ごとにアンテナ１６３７を含んでもよい。この場合、アンテナスイッチ１６３６はカーナビゲーションデバイス１６２０の構成から省略されてもよい。
【０２０１】
バッテリー１６３８は、図において破線で部分的に示した支線を介して、図１６に示したカーナビゲーションデバイス１６２０の各ブロックに電力を供給する。また、バッテリー１６３８は、車両側から給電される電力を蓄積する。
【０２０２】
図１６に示すカーナビゲーションデバイス１６２０において、図１を使用して記述された処理回路１１０及びその中モニタリングユニット１１１、ＳＰＳ配置確定ユニット１１２、図３を使用して記述された処理回路１１０及びその中のモニタリングユニット１１１、ＳＰＳ配置確定ユニット１１２、処理ユニット１１３は、プロセッサ１６２１により実現されてもよく、そして、図１、図３を使用して記述された通信ユニット１２０は、無線通信インタフェース１６３３により実現されてもよい。機能の少なくとも一部はプロセッサ１６２１により実現されてもよい。例えば、プロセッサ１６３２１は、メモリ１６２２に記憶されているコマンドを実行することで、ＳＰＳ配置に対応するリソースをモニタリングする機能、及びＳＰＳ配置の再選択結果を確定する機能を実行する。
【０２０３】
本開示の技術は、カーナビゲーションデバイス１６２０と、車載ネットワーク１６４１と、車両モジュール１６４２との１つ又は複数のブロックを含む車載システム（又は車両）１６４０として実現されてもよい。車両モジュール１６４２は車両データ（例えば車速、エンジン回転数、故障情報）を生成し、生成したデータを車載ネットワーク１６４１に出力する。
【０２０４】
本開示のシステムと方法において、各部品又は各ステップは分割及び／又は再組み合わせることが可能である。これらの分割及び／又は再組み合わせは本開示の均等方案と見なすべきである。そして、上記一連の処理を実行するステップは、自然に説明の順で時間順に従って実行されてもよいが、必ずしも時間順に従って実行される必要がない。あるステップは並行又は独立に実行されることが可能である。
【０２０５】
以上で図面を結合して本開示の実施例について詳細に記述したが、以上で記述された実施形態は、本開示を説明するためのものであり、限定するものではない。当業者にとって、上記実施形態について、本発明の本質と範囲から逸脱せず各種の修正、変更を行える。従って、本発明の範囲は付随する特許請求の範囲及びその均等意味のみにより限定される。
【図１】
2019537288.tif 000005
【図２】
2019537288.tif 000006
【図３】
2019537288.tif 000007
【図４】
2019537288.tif 000008
【図５】
2019537288.tif 000009
【図６】
2019537288.tif 000010
【図７】
2019537288.tif 000011
【図８】
2019537288.tif 000012
【図９】
2019537288.tif 000013
【図１０】
2019537288.tif 000014
【図１１】
2019537288.tif 000015
【図１２】
2019537288.tif 000016
【図１３】
2019537288.tif 000017
【図１４】
2019537288.tif 000018
【図１５】
2019537288.tif 000019
【図１６】
2019537288.tif 000020
【国際調査報告】
2019537288.tif 000021
2019537288.tif 000022
2019537288.tif 000023
2019537288.tif 000024